(57)【要約】  協調マルチポイント（Cooperative multi-point：ＣｏＭＰ）方式を使用するセルラー無線通信システムにおいてダウンリンクデータチャネル信号送信情報を送受信する装置及び方法が提供される。ダウンリンクデータチャネル信号送信情報を送信する方法において、基地局（ＢＳ）は、ダウンリンクデータチャネル信号送信のためにスケジューリングされるリソースエレメント（ＲＥ）に関連した情報を含むダウンリンクデータチャネル信号送信情報をユーザ端末機（ＵＥ）に送信し、上記ダウンリンクデータチャネル信号送信のためにスケジューリングされるリソースエレメントの中で、ダウンリンクデータチャネル信号が送信されないリソースエレメントに関連した情報を含むダウンリンクデータチャネル信号非送信情報をＵＥに送信する。
2015503881.tif 000002
【特許請求の範囲】
【請求項１】
協調マルチポイント（ＣｏＭＰ）方式を使用するセルラー無線通信システムにおける基地局（ＢＳ）がダウンリンクデータチャネル信号送信情報を送信する方法であって、
ダウンリンクデータチャネル信号送信のためにスケジューリングされるリソースエレメントに関連した情報を含むダウンリンクデータチャネル信号送信情報をユーザ端末機（ＵＥ）に送信するステップと、
前記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を前記ユーザ端末機に送信するステップと
を有することを特徴とする方法。
【請求項２】
前記ダウンリンクデータチャネル信号送信情報は、第１の基準信号が送信されるリソースエレメントに関連した第１の基準信号リソース位置情報と、前記ダウンリンクデータチャネル信号送信のためにスケジューリングされるリソースエレメントの開始位置に関連したダウンリンクデータチャネル信号リソース開始位置情報と、第２の基準信号と復調基準信号との関係を示す第２の基準信号−復調基準信号関係情報とを含むことを特徴とする請求項１に記載の方法。
【請求項３】
前記ダウンリンクデータチャネル信号送信情報を前記ユーザ端末機に送信するステップは、前記ダウンリンクデータチャネル信号送信情報が無線ネットワーク一時識別子（ＲＮＴＩ）を使用して送信されるか否かを示す情報に基づいて前記ダウンリンクデータチャネル信号送信情報を前記ユーザ端末機に送信するステップを含むことを特徴とする請求項１に記載の方法。
【請求項４】
前記ダウンリンクデータチャネル信号送信情報が前記無線ネットワーク一時識別子を使用せずに前記ユーザ端末機に送信される場合に、前記ユーザ端末機は、サービングセルのダウンリンクデータチャネルリソースマッピング方式を使用して前記ダウンリンクデータチャネル信号を受信するか、又は前記ユーザ端末機が前記協調マルチポイント方式を考慮したダウンリンクデータチャネルリソースマッピング方式を使用して前記ダウンリンクデータチャネル信号を受信することを特徴とする請求項３に記載の方法。
【請求項５】
協調マルチポイント（ＣｏＭＰ）方式を使用するセルラー無線通信システムにおけるユーザ端末機（ＵＥ）がダウンリンクデータチャネル信号送信情報を受信する方法であって、
ダウンリンクデータチャネル信号送信のためにスケジューリングされるリソースエレメント（ＲＥ）に関連した情報を含むダウンリンクデータチャネル信号送信情報を基地局（ＢＳ）から受信するステップと、
前記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を前記基地局から受信するステップと
を有することを特徴とする方法。
【請求項６】
前記ダウンリンクデータチャネル信号送信情報は、第１の基準信号が送信されるリソースエレメントに関連した第１の基準信号リソース位置情報と、前記ダウンリンクデータチャネル信号送信のためにスケジューリングされるリソースエレメントの開始位置に関連したダウンリンクデータチャネル信号リソース開始位置情報と、第２の基準信号と復調基準信号との関係を示す第２の基準信号−復調基準信号関係情報とを含むことを特徴とする請求項５に記載の方法。
【請求項７】
前記ダウンリンクデータチャネル信号送信情報は、無線ネットワーク一時識別子（ＲＮＴＩ）を使用して送信されるか否かを示す情報に基づいて送信されることを特徴とする請求項５に記載の方法。
【請求項８】
前記ダウンリンクデータチャネル信号送信情報が前記無線ネットワーク一時識別子を使用せずに前記ユーザ端末機に送信される場合に、サービングセルのダウンリンクデータチャネルリソースマッピング方式を使用して前記ダウンリンクデータチャネル信号を受信するか、又は前記協調マルチポイント方式を考慮したダウンリンクデータチャネルリソースマッピング方式を使用して前記ダウンリンクデータチャネル信号を受信するステップをさらに有することを特徴とする請求項７に記載の方法。
【請求項９】
協調マルチポイント（ＣｏＭＰ）方式を使用するセルラー無線通信システムにおける基地局（ＢＳ）であって、
ダウンリンクデータチャネル信号送信のためにスケジューリングされるリソースエレメント（ＲＥ）に関連した情報を含むダウンリンクデータチャネル信号送信情報をユーザ端末機（ＵＥ）に送信し、前記ダウンリンクデータチャネル信号送信のためにスケジューリングされるリソースエレメントの中で、前記ダウンリンクデータチャネル信号が前記ユーザ端末機に送信されないリソースエレメントに関連した情報を含むダウンリンクデータチャネル信号非送信情報を前記ユーザ端末機に送信する送信部を具備することを特徴とする基地局。
【請求項１０】
前記ダウンリンクデータチャネル信号送信情報は、第１の基準信号が送信されるリソースエレメントに関連した第１の基準信号リソース位置情報と、前記ダウンリンクデータチャネル信号送信のためにスケジューリングされるリソースエレメントの開始位置に関連したダウンリンクデータチャネル信号リソース開始位置情報と、第２の基準信号と復調基準信号との関係を示す第２の基準信号−復調基準信号関係情報とを含むことを特徴とする請求項９に記載の基地局。
【請求項１１】
前記送信部は、前記ダウンリンクデータチャネル信号送信情報が無線ネットワーク一時識別子（ＲＮＴＩ）を使用して送信されるか否かを示す情報に基づいて前記ダウンリンクデータチャネル信号送信情報を前記ユーザ端末機に送信することを特徴とする請求項９に記載の基地局。
【請求項１２】
前記ダウンリンクデータチャネル信号送信情報が前記無線ネットワーク一時識別子を使用せずに前記ユーザ端末機に送信する場合に、前記ユーザ端末機は、サービングセルのダウンリンクデータチャネルリソースマッピング方式を使用して前記ダウンリンクデータチャネル信号を受信するか、又は前記ユーザ端末機が前記協調マルチポイント方式を考慮したダウンリンクデータチャネルリソースマッピング方式を使用して前記ダウンリンクデータチャネル信号を受信することを特徴とする請求項１１に記載の基地局。
【請求項１３】
協調マルチポイント（ＣｏＭＰ）方式を使用するセルラー無線通信システムにおけるユーザ端末機（ＵＥ）であって、
ダウンリンクデータチャネル信号送信のためにスケジューリングされるリソースエレメント（ＲＥ）に関連した情報を含むダウンリンクデータチャネル信号送信情報を基地局（ＢＳ）から受信し、前記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を前記基地局から受信する受信部を具備することを特徴とするユーザ端末機。
【請求項１４】
前記ダウンリンクデータチャネル信号送信情報は、第１の基準信号が送信されるリソースエレメントに関連した第１の基準信号リソース位置情報と、前記ダウンリンクデータチャネル信号送信のためにスケジューリングされるリソースエレメントの開始位置に関連したダウンリンクデータチャネル信号リソース開始位置情報と、第２の基準信号と復調基準信号との関係を示す第２の基準信号−復調基準信号関係情報とを含むことを特徴とする請求項１３に記載のユーザ端末機。
【請求項１５】
前記ダウンリンクデータチャネル信号送信情報は、前記ダウンリンクデータチャネル信号送信情報が無線ネットワーク一時識別子（ＲＮＴＩ）を使用して送信されるか否かを示す情報に基づいて送信されることを特徴とする請求項１３に記載のユーザ端末機。
【請求項１６】
前記受信部は、前記ダウンリンクデータチャネル信号送信情報が前記無線ネットワーク一時識別子を使用せずに送信される場合に、サービングセルのダウンリンクデータチャネルリソースマッピング方式を使用して前記ダウンリンクデータチャネル信号を受信するか、又は前記協調マルチポイント方式を考慮したダウンリンクデータチャネルリソースマッピング方式を使用して前記ダウンリンクデータチャネル信号を受信することを特徴とする請求項１５に記載のユーザ端末機。
【発明の詳細な説明】
【技術分野】
【０００１】
本発明は、セルラー無線通信システムにおけるダウンリンクデータチャネル信号（downlink data channel signal）送信情報を送受信する装置及び方法に関する。特に、本発明は、複数の基地局（Base Station：ＢＳ）が協調マルチポイント（Cooperative multi-point：以下、“ＣｏＭＰ”と称する）方式を使用して移動端末機（Mobile Station：以下、“ＭＳ”と称する）にサービスを提供するＣｏＭＰセルラー無線通信システムにおけるダウンリンクデータチャネル信号送信情報を送受信する装置及び方法に関するものである。
【背景技術】
【０００２】
セルラー無線通信システムは、様々な高速大容量サービスを移動端末機に提供する形態で発展してきた。このようなセルラー無線通信システムの例は、高速ダウンリンクパケットアクセス（High Speed Downlink Packet Access：ＨＳＤＰＡ）移動通信システムと、高速アップリンクパケットアクセス（High Speed Uplink Packet Access：ＨＳＵＰＡ）移動通信システムと、ロングタームエボリューション（Long Term Evolution：ＬＴＥ）移動通信システムと、ロングタームエボリューションアドバンスド（Long Term Evolution Advanced、ＬＴＥ−Ａ）移動通信システムと、第３世代プロジェクトパートナーシップ２（3rd Generation Project Partnership 2：３ＧＰＰ２）により提案された高速パケットデータ（High Rate Packet Data：ＨＲＰＤ）移動通信システムと、国際電気電子技術者協会（Institute of Electrical and Electronics Engineers：以下、“ＩＥＥＥ”と称する）８０２．１６ｍ移動通信システムとを含む。
【０００３】
高速無線パケットデータ送信を効率的にサポートするために開発されたＬＴＥ移動通信システムは、様々な無線接続（radio access：ＲＡ）技術を活用してセルラー無線通信システムの容量を最大化できる。ＬＴＥシステムから進歩したＬＴＥ−Ａシステムは、ＬＴＥシステムと比較して向上したデータ送信能力を有する。
【０００４】
ＨＳＤＰＡ移動通信システム、ＨＳＵＰＡ移動通信システム、及びＨＲＰＤ移動通信システムのような現存する第３世代（３Ｇ）無線パケットデータ通信システムは、送信効率を向上させるために適応変調及び符号化（Adaptive Modulation and Coding：ＡＭＣ）方式及びチャネル適応スケジューリング（channel adaptation scheduling）方式のような技術を使用する。このとき、ＡＣＭ方式及びチャネル適応スケジューリング方式を使用する場合に、信号送信装置は、信号受信装置から部分的なチャネル状態フィードバック情報を受信することにより、最も効率的な時点で最適の変調方式及び符号化方式を使用できる。
【０００５】
ＡＭＣ方式を使用する無線パケットデータ通信システムにおいて、信号送信装置は、チャネル状態に従って送信されるデータパケットの量を調整する。すなわち、チャネル状態が悪い場合に、信号送信装置は、送信されるデータパケットの量を減少させることにより受信エラー確率を信号送信装置がターゲットとするターゲット受信エラー確率で保持できる。他方、チャネル状態が良好な場合に、信号送信装置は、送信されるデータパケットの量を増加させることにより受信エラー確率をターゲット受信エラー確率で保持しつつも多くのデータパケットを効果的に送信できる。
【０００６】
また、チャネル適応スケジューリング方式を使用する無線パケットデータ通信システムにおいて、信号送信装置は、複数の移動端末機の中で良好なチャネル状態を有する移動端末機を選択し、この選択された移動端末機にサービスを提供するために、１個の移動端末機にチャネルを割り当ててサービスを提供する場合に比べて、システムスループットが増加する。このようなシステムスループット増加は、‘マルチユーザダイバーシティ（multi-user diversity）利得’と称される。
【０００７】
ＡＭＣ方式は、多入力多出力（Multiple Input Multiple Output：以下、“ＭＩＭＯ”と称する）送信方式とともに使用される場合に、送信信号の空間層（spatial layer）の個数又はランク（rank）を決定する機能も含むことができる。この場合に、ＡＭＣ方式を使用する無線パケットデータ通信システムは、最適のデータ送信率（data rate）を決定するにあたり、単純に符号化率及び変調方式だけを考慮せず、ＭＩＭＯを用いて幾つかのレイヤーでデータを送信することを考慮する。
【０００８】
一般的に、符号分割多重接続（code division multiple access：以下、“ＣＤＭＡ”と称する）方式に比べて、直交周波数分割多重接続（orthogonal frequency division multiple access：以下、“ＯＦＤＭＡ”と称する）方式が使用される場合に、システム容量の増加を期待できる方式と知られている。
【０００９】
ＯＦＤＭＡ方式を使用する場合に、システムスループットが増加する幾つかの理由の内の１つは、ＯＦＤＭＡが周波数領域スケジューリング（frequency domain scheduling）を実行することができるという点である。基本的に、チャネル状態が時間により変わる特性に基づいてチャネル適応スケジューリング方式を使用することにより容量利得を得ることができ、チャネル状態が周波数により変わる特性を使用する場合にさらに多くの容量利得を得ることができる。したがって、次世代セルラー無線通信システムでは、第２世代（２Ｇ）セルラー無線通信システム及び第３世代（３Ｇ）セルラー無線通信システムで使用されたＣＤＭＡ方式を次世代セルラー無線通信システムにおけるＯＦＤＭＡ方式に置き換えようとする研究が活発に進んでいる。３ＧＰＰ及び３ＧＰＰ２は、ＯＦＤＭＡ方式を使用する向上したセルラー無線通信システムに関連した標準化プロジェクトを始めた。
【００１０】
図１は、従来技術によるＬＴＥ−Ａ移動通信システムの無線フレームの構造を概略的に示す図である。
図１を参照すると、１個の無線フレームは、１０個のサブフレームを含み、１０個のサブフレームの各々は、２個のスロットを含む。したがって、インデックス（図示せず）０乃至９は、１個の無線フレームに含まれた１０個のサブフレームに割り当てられ、インデックス０乃至１９は、１個のサブフレームに含まれた２０個のスロットに割り当てられる。
【００１１】
図２は、従来技術によるセルラー無線通信システムの構造を概略的に示す図である。
図２に示すセルラー無線通信システムでは、送受信アンテナがセル別に中央に配置される。
図２を参照すると、複数のセルを含むセルラー無線通信システムにおいて、特定のユーザ端末機（user equipment：以下、“ＵＥ”と称する）は、比較的長い時間、例えば、半静的（semi-static）時間間隔の間に選択された１つのセルから上述したような複数の方式を使用する無線通信サービスを受信する。例えば、セルラー無線通信システムが３個のセル、すなわち、セル１００、セル１１０、及びセル１２０の計３個のセルを含むと仮定する。セル１００は、無線通信サービスをＵＥ１０１及びＵＥ１０２に提供し、セル１１０は、無線通信サービスをＵＥ１１１に提供し、セル１２０は、無線通信サービスをＵＥ１２１に提供する。基地局（Base Station：以下、“ＢＳ”と称する）１３０、１３１、及び１３２は、セル１００、セル１１０、及びセル１２０をそれぞれ管理する。
【００１２】
一方、セル１００を使用して無線通信サービスを受信するＵＥ１０２は、ＵＥ１０１に比べてＢＳ１３０から相対的に遠い地点に位置する。また、ＵＥ１０２は、セル１２０のサービス領域を管理するＢＳ１３２から比較的大きい干渉を経験する。したがって、ＵＥ１０２は、相対的に遅いデータ送信速度でデータを受信する。
【００１３】
また、セル１００、１１０、及び１２０から独立して無線通信サービスを提供する場合に、特定のＵＥがセル１００、１１０、及び１２０のそれぞれのダウンリンクチャネル状態を測定できるようにセル１００、１１０、及び１２０のそれぞれのサービス領域を管理するＢＳは、基準信号（reference signal：ＲＳ）を送信する。セルラー無線通信システムが３ＧＰＰ  ＬＴＥ−Ａ移動通信システムである場合に、ＲＳは、セル特定基準信号（cell-specific reference signal：以下、“ＣＲＳ”と称する）又はチャネル状態情報基準信号（channel status information reference signal：以下、“ＣＳＩ−ＲＳ”と称する）である。
【００１４】
一方、３ＧＰＰ  ＬＴＥ−Ａ移動通信システムにおいて、ＵＥは、ＢＳで送信したＣＲＳ又はＣＳＩ−ＲＳを用いてＢＳとＵＥとの間のチャネル状態を測定し、この測定されたチャネル状態を示すチャネル状態情報をＢＳにフィードバックする。ＵＥがチャネル推定のために使用する基準信号がＣＲＳ又はＣＳＩ−ＲＳであることを示す情報は、ＢＳがＵＥに送信する送信モード情報を通して伝達される。
【００１５】
３ＧＰＰ  ＬＴＥ−Ａ移動通信システムにおいて、ＵＥは、ＢＳで送信したＣＲＳ又は復調基準信号（demodulation reference signal：以下、“ＤＭ−ＲＳ”と称する）を用いてＢＳとＵＥとの間のチャネル状態を測定し、この測定されたチャネル状態を使用して復調動作を実行することによりダウンリンクデータを検出する。ＵＥが復調動作のために使用する基準信号がＣＲＳ又はＤＭ−ＲＳであることを示す情報は、ＢＳがＵＥに送信する送信モード情報を通して伝達される。
【００１６】
図３は、従来技術によるＬＴＥ−Ａ移動通信システムのリソースブロックでＣＳＩ−ＲＳが送信される位置を概略的に示す図である。図３の各ブロックは、リソースブロックに含まれたリソースエレメント（resource element：以下、“ＲＥ”と称する）を示す。図３を参照すると、縦軸は、サブキャリアインデックスを示し、横軸は、直交周波数分割多重化（orthogonal frequency division multiplexing：以下、“ＯＦＤＭ”と称する）シンボル時間を示す。
【００１７】
また、ＲＥ２００乃至２１９のそれぞれでは、２個のＣＳＩ−ＲＳアンテナポートを識別するためのＣＳＩ−ＲＳが転送される。すなわち、特定のＢＳは、ＲＥ２００を通してダウンリンク測定のための２つのＣＳＩ−ＲＳをブロードキャストする。図２で説明したように、複数のセルを含むセルラー無線通信システムにおいて、各セルは、リソースブロックに含まれたＲＥを割り当て、この割り当てられたＲＥを通してＣＳＩ−ＲＳが送信される。例えば、図２において、セル１００では、ＲＥ２００を通してＣＳＩ−ＲＳが送信され、セル１１０では、ＲＥ２０５を通してＣＳＩ−ＲＳが送信され、セル１２０では、ＲＥ２１０を通してＣＳＩ−ＲＳが送信される。上述したように、従来技術のＬＴＥ−Ａ移動通信システムにおいて、セル別に異なる時間リソース及び周波数リソースを使用してＣＳＩ−ＲＳを送信する理由は、ＣＳＩ−ＲＳ間の相互干渉を防止するためである。
【００１８】
一方、ダウンリンクでＣＳＩ−ＲＳが送信されるサブフレームは、無線リソース制御（radio resource control：以下、“ＲＲＣ”と称する）メッセージを通して送信されるパラメータＩＣＳＩ−ＲＳを使用して決定される。ＵＥは、ＩＣＳＩ−ＲＳを受信する場合に、下記の表１を使用してＣＳＩ−ＲＳが送信されるサブフレームのサブフレーム期間ＴＣＳＩ−ＲＳと、ＣＳＩ−ＲＳが送信されるサブフレームのオフセットΔＣＳＩ−ＲＳとを決定する。
【００１９】
【表１】
2015503881.tif 000003
【００２０】
ＵＥは、数式１で表現される基準を満足するサブフレームを通してＣＳＩ−ＲＳを受信する。
【００２１】
【数１】
2015503881.tif 000004
【００２２】
数式１において、ｎｆは、無線フレーム番号（Radio Frame Number：ＲＦＮ）を示し、ｎｓは、無線フレームに含まれたスロット番号を示す。
図３において、ＤＭ−ＲＳは、ＲＥ２２０及び２２１を通して送信される。１個又は２個のＤＭ−ＲＳ送信ポートが特定のＵＥをターゲットとするデータ送信のために使用される場合に、ＤＭ−ＲＳは、ＲＥ２２０を通して送信され、２個を超過するＤＭ−ＲＳ送信ポートが特定のＵＥをターゲットとするデータ送信のために使用される場合に、ＤＭ−ＲＳは、ＲＥ２２０及び２２１を通して送信される。
【００２３】
図３において、ＣＲＳは、ＲＥ２３１を通して送信される。ＣＲＳは、特定のセルでＣＲＳ送信ポートの個数に従ってＲＥ２３１の内の一部又は全体を通して送信される。ＣＲＳ送信タイミングは、セル別に変わり得る。すなわち、図３において、ＣＲＳは、サブキャリアインデックス＃０を有するサブキャリアから始めて３個のサブキャリアの間隔で送信されるが、各セルに対するＣＲＳ送信の開始位置は、各セルに対するセル識別子（Ｃｅｌｌ−ＩＤ）にモジュロ（modulo）演算を適用することにより決定される。例えば、ＣＲＳ送信の開始位置は、Ｃｅｌｌ−ＩＤ  ｍｏｄ  ６の値として決定される。
【００２４】
ダウンリンクデータ、例えば、ダウンリンク物理共有チャネル（physical downlink shared channel：以下、“ＰＤＳＣＨ”と称する）信号がＣＳＩ−ＲＳリソース、ＤＭ−ＲＳリソース、ＣＲＳリソース、及び制御チャネルリソースを通して送信されないと仮定した後に、ＵＥは、残りのリソースの中で関連するリソースを通してＰＤＳＣＨ信号を受信する。
【００２５】
また、基準信号がリソースを通して送信される場合の他にも、同期（ＳＹＮＣ）信号又は物理ブロードキャストチャネル（physical broadcast channel：以下、“ＰＢＣＨ”と称する）信号が送信されるリソースを通してもダウンリンクデータは送信されない。例えば、ＳＹＮＣ信号は、サブフレームインデックス＃０、＃５を有するサブフレームで一部のＯＦＤＭシンボルを通して送信され、ＰＢＣＨ信号は、サブフレームインデックス＃０を有するサブフレーム内の一部のＯＦＤＭシンボルを通して送信される。ＳＹＮＣ信号送信及びＰＢＣＨ信号送信の位置は、ＬＴＥ−Ａ移動通信システムの標準に従って決定され、その具体的な説明は、省略する。
【００２６】
ＬＴＥ−Ａ移動通信システムにおいて、各サブフレームは、マルチメディアブロードキャストマルチキャストサービス単一周波数ネットワーク（Multimedia Broadcast Multicast Service single Frequency Network：以下、“ＭＢＳＦＮ”と称する）サブフレームとして設定され、特定のサブフレームがＭＢＳＦＮサブフレームとして設定される場合に、ＣＲＳは、特定のサブフレームで制御チャネルリソースの他にはリソースを通して送信されない。
【００２７】
ＭＢＳＦＮサブフレームの構成は、セル別に設定され、それぞれのセルは、異なるＭＢＳＦＮサブフレーム構成を有する。ＭＢＳＦＮサブフレームは、物理マルチキャストチャネル（physical multicast channel：以下、“ＰＭＣＨ”と称する）送信又はＰＤＳＣＨ送信のために使用され、ＭＢＳＦＮサブフレームがＰＭＣＨ送信のために使用される場合には、基準信号としてＭＢＳＦＮ基準信号が送信され、ＭＢＳＦＮサブフレームがＰＤＳＣＨ送信のために使用される場合に、基準信号としてＤＭ−ＲＳ及びＣＳＩ−ＲＳが送信される。
【００２８】
図２に示すような各セルの中央に配置された送受信アンテナを仮定するＬＴＥ−Ａ移動通信システムでは、ＵＥがＳＹＮＣ信号を検出することによりサブフレームインデックスを検出し、ＰＢＣＨ信号及びセル関連情報、例えばシステム情報ブロック（system information block：以下、“ＳＩＢ”と称する）を受信することによりＭＢＳＦＮサブフレーム構成情報及びＣＲＳ及びＣＳＩ−ＲＳが送信されるリソースに関する情報を検出し、制御チャネルを通して送信されるＰＤＳＣＨスケジューリング情報を用いてＤＭ−ＲＳリソースに関する位置情報を検出する。したがって、各ＵＥは、ＰＤＳＣＨ信号が送信されるリソースの正確な位置を把握することによりダウンリンクデータを受信する。
【００２９】
図２で説明したように、セル別に中央に配置された送受信アンテナを仮定するＬＴＥ−Ａ移動通信システムでは、ＵＥがＳＹＮＣ信号を検出することによりシステムフレーム番号（ＳＦＮ）を検出し、ＰＢＣＨ信号及びＳＩＢメッセージを受信することによりＣＳＩ−ＲＳが送信されるサブフレームと、ページングメッセージ及びシステム情報が送信されるサブフレームと衝突してＣＳＩ−ＲＳが送信されないサブフレームとを確認できる。
【００３０】
図２で説明したセルラー無線通信システムにおいて、他のセルからの干渉により高いデータ送信率をセル境界領域に位置するＵＥに提供するのに限界がある。すなわち、高速のデータサービスの送信率は、ＵＥの位置により大きく影響を受ける。したがって、従来技術によるセルラー無線通信システムでは、セル中央に相対的に近くに位置したＵＥには、比較的高い送信率が提供されることができるが、セル中央から相対的に遠くに位置したＵＥには、高い送信率が提供されることが難しい。
ＬＴＥ−Ａ移動通信システムでは、セル境界領域に位置するＵＥに高いデータ送信率を提供し、高いデータ送信率を提供するサービス領域を拡大するために、協調方式を使用して複数のセルが特定のＵＥに通信サービスを提供するＣｏＭＰ方式が提案された。
【００３１】
ＬＴＥ−Ａ移動通信システムでは、ＣｏＭＰ方式を効率的に使用するために、複数のセルのそれぞれに割り当てられた基準信号（reference signal）リソースと、ＳＹＮＣ信号（SYNChronization signal）リソースと、物理ブロードキャストチャネル（Physical Broadcast Channel：以下、“ＰＢＣＨ”と称する）リソースとを考慮してダウンリンクデータチャネル信号、例えば、ダウンリンク物理共有チャネル（Physical Downlink Shared Channel：以下、“ＰＤＳＣＨ”と称する）信号を受信する方法が必要である。ここで、基準信号リソースは、基準信号が送信されるリソースを示し、ＳＹＮＣ信号リソースは、ＳＹＮＣ信号が送信されるリソースを示し、ＰＢＣＨリソースは、ＰＢＣＨ信号が送信されるリソースを示す。
ＣｏＭＰ方式を使用するＬＴＥ−Ａ移動通信システムでは、ＵＥがＰＤＳＣＨ信号を効率的に受信するために、複数のセルの各々から送信されるサブフレームの中でＰＤＳＣＨ信号が送信されるサブフレームとＰＤＳＣＨ信号が送信されないサブフレームとを識別する必要性がある。
【００３２】
上述した情報は、本発明の理解を助けるために背景情報だけとして提示される。本発明に対する先行技術で適用されることができるのか否かに関してはいかなる決定及びいかなる主張もない。
【発明の概要】
【発明が解決しようとする課題】
【００３３】
本発明の目的は、少なくとも上述した問題点及び／又は不都合に取り組み、少なくとも以下の利便性を提供することにある。すなわち、本発明の目的は、協調マルチポイント（ＣｏＭＰ）方式を使用するセルラー無線通信システムにおけるダウンリンクデータチャネル信号送信情報を送受信する装置及び方法を提供することにある。
【００３４】
本発明の別の目的は、ＣｏＭＰ方式を使用するセルラー無線通信システムにおける信号受信装置が、セル特定基準信号（ＣＲＳ）が送信されるリソースを考慮してダウンリンクデータチャネル信号を受信するようにダウンリンクデータチャネル信号送信情報を送受信する装置及び方法を提供することにある。
【００３５】
本発明のさらに別の目的は、ＣｏＭＰ方式を使用するセルラー無線通信システムにおける信号受信装置が、チャネル状態情報基準信号（ＣＳＩ−ＲＳ）が送信されるリソースを考慮してダウンリンクデータチャネル信号を受信するようにダウンリンクデータチャネル信号送信情報を送受信する装置及び方法を提供することにある。
【００３６】
本発明のさらにまた別の目的は、ＣｏＭＰ方式を使用するセルラー無線通信システムにおける信号受信装置が、システム情報送信を考慮してダウンリンクデータチャネル信号を受信するようにダウンリンクデータチャネル信号送信情報を送受信する装置及び方法を提供することにある。
【００３７】
本発明のさらにまた別の目的は、ＣｏＭＰ方式を使用するセルラー無線通信システムにおける信号受信装置が、同期（ＳＹＮＣ）信号が送信されるリソースを考慮してダウンリンクデータチャネル信号を受信するようにダウンリンクデータチャネル信号送信情報を送受信する装置及び方法を提供することにある。
【００３８】
本発明のさらにまた別の目的は、ＣｏＭＰ方式を使用するセルラー無線通信システムにおける信号受信装置が、物理ブロードキャストチャネル（ＰＢＣＨ）信号が送信されるリソースを考慮してダウンリンクデータチャネル信号を受信するようにダウンリンクデータチャネル信号送信情報を送受信する装置及び方法を提供することにある。
【００３９】
本発明のさらにまた別の目的は、ＣｏＭＰ方式を使用するセルラー無線通信システムにおける信号受信装置が、復調基準信号（ＤＭ−ＲＳ）が送信されるリソースを考慮してダウンリンクデータチャネル信号を受信するようにダウンリンクデータチャネル信号送信情報を送受信する装置及び方法を提供することにある。
【００４０】
本発明のさらにまた別の目的は、ＣｏＭＰ方式を使用するセルラー無線通信システムにおける信号受信装置が、システム情報無線ネットワーク一時識別子（system information-radio network temporary identifier：以下、“ＳＩ−ＲＮＴＩ”と称する）、ページング無線ネットワーク一時識別子（paging-radio network temporary identifier：以下、“Ｐ−ＲＮＴＩ”と称する）、セル無線ネットワーク一時識別子（cell-radio network temporary identifier：以下、“Ｃ−ＲＮＴＩ”と称する）、セミパーシステントスケジューリングセル無線ネットワーク一時識別子（Semi-Persistent Scheduling cell-radio network temporary identifier：以下、“ＳＰＳ−Ｃ−ＲＮＴＩ”と称する）、及びランダムアクセス無線ネットワーク一時識別子（random access radio network temporary identifier：以下、“ＲＡ−ＲＮＴＩ”と称する）の中の少なくとも１つを考慮してダウンリンクデータチャネル信号を受信するようにダウンリンクデータチャネル信号送信情報を送受信する装置及び方法を提供することにある。
【００４１】
本発明のさらにまた別の目的は、ＣｏＭＰ方式を使用するセルラー無線通信システムにおける信号受信装置が、ダウンリンク制御情報（Downlink Control Information：以下、“ＤＣＩ”と称する）フォーマットを考慮してダウンリンクデータチャネル信号を受信するようにダウンリンクデータチャネル信号送信情報を送受信する装置及び方法を提供することにある。
【００４２】
本発明のさらにまた別の目的は、ＣｏＭＰ方式を使用するセルラー無線通信システムにおける信号受信装置が、ＣｏＭＰ関連スケジューリング情報を考慮してダウンリンクデータチャネル信号を受信するようにダウンリンクデータチャネル信号送信情報を送受信する装置及び方法を提供することにある。
【００４３】
本発明のさらにまた別の目的は、ＣｏＭＰ方式を使用するセルラー無線通信システムにおける複数の信号送信装置が、送信したダウンリンクデータチャネル信号の各々に関するダウンリンクデータチャネル信号送信情報を送受信する装置及び方法を提供することにある。
【００４４】
本発明のさらにまた別の目的は、ＣｏＭＰ方式を使用するセルラー無線通信システムにおける信号受信装置が、ＣＲＳが送信されるリソースを考慮して複数の信号送信装置が送信したダウンリンクデータチャネル信号の各々を受信するようにダウンリンクデータチャネル信号送信情報を送受信する装置及び方法を提供することにある。
【００４５】
本発明のさらにまた別の目的は、ＣｏＭＰ方式を使用するセルラー無線通信システムにおける信号受信装置が、ＣＳＩ−ＲＳが送信されるリソースを考慮して複数の信号送信装置が送信したダウンリンクデータチャネル信号の各々を受信するようにダウンリンクデータチャネル信号送信情報を送受信する装置及び方法を提供することにある。
【００４６】
本発明のさらにまた別の目的は、ＣｏＭＰ方式を使用するセルラー無線通信システムにおける信号受信装置が、システム情報送信を考慮して複数の信号送信装置が送信したダウンリンクデータチャネル信号の各々を受信するようにダウンリンクデータチャネル信号送信情報を送受信する装置及び方法を提供することにある。
【００４７】
本発明のさらにまた別の目的は、ＣｏＭＰ方式を使用するセルラー無線通信システムにおける信号受信装置が、ＳＹＮＣ信号が送信されるリソースを考慮して複数の信号送信装置が送信したダウンリンクデータチャネル信号の各々を受信するようにダウンリンクデータチャネル信号送信情報を送受信する装置及び方法を提供することにある。
【００４８】
本発明のさらにまた別の目的は、ＣｏＭＰ方式を使用するセルラー無線通信システムにおける信号受信装置が、ＰＢＣＨ信号が送信されるリソースを考慮して複数の信号送信装置が送信したダウンリンクデータチャネル信号の各々を受信するようにダウンリンクデータチャネル信号送信情報を送受信する装置及び方法を提供することにある。
【００４９】
本発明のさらにまた別の目的は、ＣｏＭＰ方式を使用するセルラー無線通信システムにおける信号受信装置が、ＤＭ−ＲＳが送信されるリソースを考慮して複数の信号送信装置が送信したダウンリンクデータチャネル信号の各々を受信するようにダウンリンクデータチャネル信号送信情報を送受信する装置及び方法を提供することにある。
【００５０】
本発明のさらにまた別の目的は、ＣｏＭＰ方式を使用するセルラー無線通信システムにおける信号受信装置が、ＳＩ−ＲＮＴＩ、Ｐ−ＲＮＴＩ、Ｃ−ＲＮＴＩ、ＳＰＳ−Ｃ−ＲＮＴＩ、及びＲＡ−ＲＮＴＩの中の少なくとも１つを考慮して複数の信号送信装置が送信したダウンリンクデータチャネル信号の各々を受信するようにダウンリンクデータチャネル信号送信情報を送受信する装置及び方法を提供することにある。
【００５１】
本発明のさらに別の目的は、ＣｏＭＰ方式を使用するセルラー無線通信システムにおける信号受信装置が、ＤＣＩフォーマットを考慮して複数の信号送信装置が送信したダウンリンクデータチャネル信号の各々を受信するようにダウンリンクデータチャネル信号送信情報を送受信する装置及び方法を提供することにある。
【００５２】
本発明のさらに別の目的は、ＣｏＭＰ方式を使用するセルラー無線通信システムにおける信号受信装置が、ＣｏＭＰ関連スケジューリング情報を考慮して複数の信号送信装置が送信したダウンリンクデータチャネル信号の各々を受信するようにダウンリンクデータチャネル信号送信情報を送受信する装置及び方法を提供することにある。
【課題を解決するための手段】
【００５３】
上記のような目的を達成するために、本発明の一態様によれば、協調マルチポイント（ＣｏＭＰ）方式を使用するセルラー無線通信システムにおける基地局（ＢＳ）がダウンリンクデータチャネル信号送信情報を送信する方法が提供される。上記方法は、ダウンリンクデータチャネル信号送信のためにスケジューリングされるリソースエレメントに関連した情報を含むダウンリンクデータチャネル信号送信情報をユーザ端末機（ＵＥ）に送信するステップと、上記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を上記ユーザ端末機に送信するステップとを有することを特徴とする。
【００５４】
本発明の別の態様によれば、協調マルチポイント（ＣｏＭＰ）方式を使用するセルラー無線通信システムにおけるユーザ端末機（ＵＥ）がダウンリンクデータチャネル信号送信情報を受信する方法が提供される。上記方法は、ダウンリンクデータチャネル信号送信のためにスケジューリングされるリソースエレメント（ＲＥ）に関連した情報を含むダウンリンクデータチャネル信号送信情報を基地局（ＢＳ）から受信するステップと、上記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を上記基地局から受信するステップとを有することを特徴とする。
【００５５】
本発明のさらに別の態様によれば、協調マルチポイント（ＣｏＭＰ）方式を使用するセルラー無線通信システムにおける基地局（ＢＳ）が提供される。上記ＢＳは、ダウンリンクデータチャネル信号送信のためにスケジューリングされるリソースエレメント（ＲＥ）に関連した情報を含むダウンリンクデータチャネル信号送信情報をユーザ端末機（ＵＥ）に送信し、上記ダウンリンクデータチャネル信号送信のためにスケジューリングされるリソースエレメントの中で、上記ダウンリンクデータチャネル信号が上記ユーザ端末機に送信されないリソースエレメントに関連した情報を含むダウンリンクデータチャネル信号非送信情報を上記ユーザ端末機に送信する送信部を具備することを特徴とする。
【００５６】
本発明のさらに別の態様によれば、協調マルチポイント（ＣｏＭＰ）方式を使用するセルラー無線通信システムにおけるユーザ端末機（ＵＥ）が提供される。上記ＵＥは、ダウンリンクデータチャネル信号送信のためにスケジューリングされるリソースエレメント（ＲＥ）に関連した情報を含むダウンリンクデータチャネル信号送信情報を基地局（ＢＳ）から受信し、上記ダウンリンクデータチャネル信号送信のためにスケジューリングされるリソースエレメント（ＲＥ）の中で、ダウンリンクデータチャネル信号が送信されないリソースエレメントに関連した情報を含むダウンリンクデータチャネル信号非送信情報を上記基地局から受信する受信部を具備することを特徴とする。
【発明の効果】
【００５７】
本発明の実施形態は、ＣｏＭＰ方式を使用するセルラー無線通信システムにおけるダウンリンクデータチャネル信号送信情報の送受信を可能にする。また、本発明の実施形態は、ＣｏＭＰ方式を使用するセルラー無線通信システムにおける信号受信装置が、ＣＲＳが送信されるリソースを考慮してダウンリンクデータチャネル信号を受信するようにダウンリンクデータチャネル信号送信情報の送受信を可能にする。さらに、本発明の実施形態は、ＣｏＭＰ方式を使用するセルラー無線通信システムにおける信号受信装置が、ＣＳＩ−ＲＳが送信されるリソースを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、システム情報送信を考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＳＹＮＣ信号が送信されるリソースを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＰＢＣＨ信号が送信されるリソースを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＤＭ−ＲＳが送信されるリソースを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＳＩ−ＲＮＴＩ、Ｐ−ＲＮＴＩ、Ｃ−ＲＮＴＩ、ＳＰＳ−Ｃ−ＲＮＴＩ、及びＲＡ−ＲＮＴＩの中の少なくとも１つを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＤＣＩフォーマットを考慮してダウンリンクデータチャネル信号を受信するようにダウンリンクデータチャネル信号送信情報の送受信を可能にする。さらにまた、本発明の実施形態は、ＣｏＭＰ方式を使用するセルラー無線通信システムにおける信号受信装置が、ＣｏＭＰ関連スケジューリング情報を考慮してダウンリンクデータチャネル信号を受信するようにダウンリンクデータチャネル信号送信情報の送受信を可能にする。
【００５８】
さらにまた、本発明の実施形態は、ＣｏＭＰ方式を使用するセルラー無線通信システムにおける複数の信号送信装置が、送信したダウンリンクデータチャネル信号の各々に関するダウンリンクデータチャネル信号送信情報の送受信を可能にする。さらにまた、本発明の実施形態は、ＣｏＭＰ方式を使用するセルラー無線通信システムにおける信号受信装置が、ＣＲＳが送信されるリソースを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＣＳＩ−ＲＳが送信されるリソースを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、システム情報送信を考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＳＹＮＣ信号が送信されるリソースを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＰＢＣＨ信号が送信されるリソースを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＤＭ−ＲＳが送信されるリソースを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＳＩ−ＲＮＴＩ、Ｐ−ＲＮＴＩ、Ｃ−ＲＮＴＩ、ＳＰＳ−Ｃ−ＲＮＴＩ、及びＲＡ−ＲＮＴＩの中の少なくとも１つを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＤＣＩフォーマットを考慮して複数の信号送信装置が送信したダウンリンクデータチャネル信号の各々を受信するようにダウンリンクデータチャネル信号送信情報の送受信を可能にする。さらにまた、本発明の実施形態は、ＣｏＭＰ方式を使用するセルラー無線通信システムにおける信号受信装置が、ＣｏＭＰ関連スケジューリング情報を考慮して複数の信号送信装置が送信したダウンリンクデータチャネル信号の各々を受信するようにダウンリンクデータチャネル信号送信情報の送受信を可能にするという効果がある。
【００５９】
本発明の他の目的、利点、及び顕著な特徴は、添付の図面及び本発明の実施形態からなされた以下の詳細な説明から、この分野の当業者に明確になるはずである。
【図面の簡単な説明】
【００６０】
【図１】従来技術によるロングタームエボリューションアドバンスド（ＬＴＥ−Ａ）移動通信システムによる無線フレームの構造を概略的に示す図である。
【図２】従来技術によるセルラー無線通信システムの構造を概略的に示す図である。
【図３】従来技術によるＬＴＥ−Ａ移動通信システムにおけるリソースブロックでチャネル状態情報基準信号（ＣＳＩ−ＲＳ）が送信される位置を概略的に示す図である。
【図４】本発明の一実施形態による協調マルチポイント（ＣｏＭＰ）方式を使用するセルラー無線通信システムの構造を概略的に示す図である。
【図５】本発明の一実施形態によるＣｏＭＰ方式を使用するセルラー無線通信システムにおけるＣＳＩ−ＲＳがリソースブロックで送信されるＣＳＩ−ＲＳリソースの位置を概略的に示す図である。
【図６】本発明の一実施形態によるＣｏＭＰ方式を使用するセルラー無線通信システムにおけるＣＲＳ−ＲＳリソースを割り当てる方法を概略的に示す図である。
【図７】本発明の一実施形態によるＣｏＭＰ方式を使用するセルラー無線通信システムにおける２個のセルが異なるマルチメディアブロードキャストマルチキャストサービス単一周波数ネットワーク（ＭＢＳＦＮ）サブフレーム構成を使用する場合のサブフレーム構造を概略的に示す図である。
【図８】本発明の一実施形態によるＣｏＭＰ方式を使用するセルラー無線通信システムにおける２個のセルが異なるサブフレームインデックスを使用する場合のサブフレーム構造を概略的に示す図である。
【図９】本発明の第１の実施形態によるＣｏＭＰ方式を使用するセルラー無線通信システムにおけるユーザ端末機（ＵＥ）が物理ダウンリンク共有チャネル（ＰＤＳＣＨ）信号を受信する方法を示すフローチャートである。
【図１０】本発明の第２の実施形態によるＣｏＭＰ方式を使用するセルラー無線通信システムにおけるＵＥがＰＤＳＣＨ信号を受信する方法を示すフローチャートである。
【図１１】本発明の第３の実施形態によるＣｏＭＰ方式を使用するセルラー無線通信システムにおけるＵＥがＰＤＳＣＨ信号を受信する方法を示すフローチャートである。
【図１２】本発明の第４の実施形態によるＣｏＭＰ方式を使用するセルラー無線通信システムにおけるＵＥがＰＤＳＣＨ信号を受信する方法を示すフローチャートである。
【図１３】本発明の第５の実施形態によるＣｏＭＰ方式を使用するセルラー無線通信システムにおけるＵＥがＰＤＳＣＨ信号を受信する方法を示すフローチャートである。
【図１４】本発明の第６の実施形態によるＣｏＭＰ方式を使用するセルラー無線通信システムにおけるＵＥがＰＤＳＣＨ信号を受信する方法を示すフローチャートである。
【図１５】本発明の第７の実施形態によるＣｏＭＰ方式を使用するセルラー無線通信システムにおけるＵＥがＰＤＳＣＨ信号を受信する方法を示すフローチャートである。
【図１６】本発明の第９の実施形態によるＣｏＭＰ方式を使用するセルラー無線通信システムにおけるＵＥがＰＤＳＣＨ信号を受信する方法を示すフローチャートである。
【図１７】本発明の第１０の実施形態によるＣｏＭＰ方式を使用するセルラー無線通信システムにおけるＵＥがＰＤＳＣＨ信号を受信する方法を示すフローチャートである。
【図１８】本発明の第１１の実施形態によるＣｏＭＰ方式を使用するセルラー無線通信システムにおけるＵＥがＰＤＳＣＨ信号を受信する方法を示すフローチャートである。
【図１９】本発明の実施形態によるＣｏＭＰ方式を使用するセルラー無線通信システムにおけるＵＥの内部構造を概略的に示す図である。
【図２０】本発明の実施形態によるＣｏＭＰ方式を使用するセルラー無線通信システムにおける中央制御装置（ＣＣＡ）の内部構造を概略的に示す図である。
【発明を実施するための形態】
【００６１】
本発明の実施形態の上述した及び他の様相、特徴、及び利点は、添付の図面が併用された後述の詳細な説明から、より一層明らかになるだろう。
【００６２】
添付の図面を参照した下記の説明は、特許請求の範囲の記載及びその均等物の範囲内で定められるような本発明の実施形態の包括的な理解を助けるために提供されるものであり、この理解を助けるために様々な特定の詳細を含むが、それらはあくまでも一実施形態に過ぎない。したがって、本発明の範囲及び趣旨を逸脱することなく、明細書中に記載する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００６３】
以下の説明及び特許請求の範囲で使用する用語及び単語は、辞典的意味に限定されるものではなく、発明者により本発明の理解を明確且つ一貫性があるようにするために使用される。したがって、本発明の実施形態の説明は、単に実例を提供するためのものであって、特許請求の範囲及びその均等物に基づいて定義される発明を限定する目的で提供するものでないことは、本発明の技術分野における通常の知識を持つ者には明らかである。
【００６４】
英文明細書に記載の単数形は、文脈中で特に明記されない限り、複数形を含むことは、当業者には理解されることである。したがって、例えば、“コンポーネント表面（a component surface）”との記載は、１つ又は複数の表面を含む。
本発明において、用語“基地局（ＢＳ）”及び“次世代基地局（evolved Node B：ｅＮＢ）”は、交換可能なように使用される。同様に、用語“移動端末機（ＭＳ）”及び“ユーザ端末機（ＵＥ）”は、交換可能なように使用される。
【００６５】
本発明の実施形態は、協調マルチポイント（Cooperative multi-point：以下、“ＣｏＭＰ”と称する）方式を使用するセルラー無線通信システムにおけるダウンリンクデータチャネル信号送信情報を送受信する装置及び方法を提案する。 
【００６６】
また、本発明の実施形態は、ＣｏＭＰ方式を使用するセルラー無線通信システムにおける信号受信装置が、セル特定基準信号（cell-specific reference signal：以下、“ＣＲＳ”と称する）が送信されるリソースを考慮してダウンリンクデータチャネル信号を受信するようにダウンリンクデータチャネル信号送信情報を送受信する装置及び方法を提案する。
【００６７】
さらに、本発明の実施形態は、ＣｏＭＰ方式を使用するセルラー無線通信システムにおける信号受信装置が、チャネル状態情報基準信号（channel status information reference signal：以下、“ＣＳＩ−ＲＳ”と称する）が送信されるリソースを考慮してダウンリンクデータチャネル信号を受信するようにダウンリンクデータチャネル信号送信情報を送受信する装置及び方法を提案する。
【００６８】
さらにまた、本発明の実施形態は、ＣｏＭＰ方式を使用するセルラー無線通信システムにおける信号受信装置が、システム情報送信を考慮してダウンリンクデータチャネル信号を受信するようにダウンリンクデータチャネル信号送信情報を送受信する装置及び方法を提案する。
【００６９】
さらにまた、本発明の実施形態は、ＣｏＭＰ方式を使用するセルラー無線通信システムにおける信号受信装置が、同期信号（SYNChronization signal：以下、“ＳＹＮＣ”と称する）が送信されるリソースを考慮してダウンリンクデータチャネル信号を受信するようにダウンリンクデータチャネル信号送信情報を送受信する装置及び方法を提案する。
【００７０】
さらにまた、本発明の実施形態は、ＣｏＭＰ方式を使用するセルラー無線通信システムにおける信号受信装置が、物理ブロードキャストチャネル（physical broadcast channel：以下、“ＰＢＣＨ”と称する）信号が送信されるリソースを考慮してダウンリンクデータチャネル信号を受信するようにダウンリンクデータチャネル信号送信情報を送受信する装置及び方法を提案する。
【００７１】
さらにまた、本発明の実施形態は、ＣｏＭＰ方式を使用するセルラー無線通信システムにおける信号受信装置が、復調基準信号（demodulation reference signal：以下、“ＤＭ−ＲＳ”と称する）が送信されるリソースを考慮してダウンリンクデータチャネル信号を受信するようにダウンリンクデータチャネル信号送信情報を送受信する装置及び方法を提案する。
【００７２】
さらにまた、本発明の実施形態は、ＣｏＭＰ方式を使用するセルラー無線通信システムにおける信号受信装置が、システム情報無線ネットワーク一時識別子（system information-radio network temporary identifier：以下、“ＳＩ−ＲＮＴＩ”と称する）、ページング無線ネットワーク一時識別子（paging-radio network temporary identifier：以下、“Ｐ−ＲＮＴＩ”と称する）、セル無線ネットワーク一時識別子（cell-radio network temporary identifier：以下、“Ｃ−ＲＮＴＩ”と称する）、セミパーシステントスケジューリングセル無線ネットワーク一時識別子（Semi-Persistent Scheduling cell-radio network temporary identifier：以下、“ＳＰＳ−Ｃ−ＲＮＴＩ”と称する）、及びランダムアクセス無線ネットワーク一時識別子（random access radio network temporary identifier：以下、“ＲＡ−ＲＮＴＩ”と称する）の中の少なくとも１つを考慮してダウンリンクデータチャネル信号を受信するようにダウンリンクデータチャネル信号送信情報を送受信する装置及び方法を提案する。
【００７３】
さらにまた、本発明の実施形態は、ＣｏＭＰ方式を使用するセルラー無線通信システムにおける信号受信装置が、ダウンリンク制御情報（Downlink Control Information：以下、“ＤＣＩ”と称する）フォーマットを考慮してダウンリンクデータチャネル信号を受信するようにダウンリンクデータチャネル信号送信情報を送受信する装置及び方法を提案する。
【００７４】
さらにまた、本発明の実施形態は、ＣｏＭＰ方式を使用するセルラー無線通信システムにおける信号受信装置が、ＣｏＭＰ関連スケジューリング情報を考慮してダウンリンクデータチャネル信号を受信するようにダウンリンクデータチャネル信号送信情報を送受信する装置及び方法を提案する。
【００７５】
さらにまた、本発明の実施形態は、ＣｏＭＰ方式を使用するセルラー無線通信システムにおける複数の信号送信装置が、送信したダウンリンクデータチャネル信号の各々に関するダウンリンクデータチャネル信号送信情報を送受信する装置及び方法を提案する。
【００７６】
さらにまた、本発明の実施形態は、ＣｏＭＰ方式を使用するセルラー無線通信システムにおける信号受信装置が、ＣＲＳが送信されるリソースを考慮して複数の信号送信装置が送信したダウンリンクデータチャネル信号の各々を受信するようにダウンリンクデータチャネル信号送信情報を送受信する装置及び方法を提案する。
【００７７】
さらにまた、本発明の実施形態は、ＣｏＭＰ方式を使用するセルラー無線通信システムにおける信号受信装置が、ＣＳＩ−ＲＳが送信されるリソースを考慮して複数の信号送信装置が送信したダウンリンクデータチャネル信号の各々を受信するようにダウンリンクデータチャネル信号送信情報を送受信する装置及び方法を提案する。
【００７８】
さらにまた、本発明の実施形態は、ＣｏＭＰ方式を使用するセルラー無線通信システムにおける信号受信装置が、システム情報送信を考慮して複数の信号送信装置が送信したダウンリンクデータチャネル信号の各々を受信するようにダウンリンクデータチャネル信号送信情報を送受信する装置及び方法を提案する。
【００７９】
さらにまた、本発明の実施形態は、ＣｏＭＰ方式を使用するセルラー無線通信システムにおける信号受信装置が、ＳＹＮＣ信号が送信されるリソースを考慮して複数の信号送信装置が送信したダウンリンクデータチャネル信号の各々を受信するようにダウンリンクデータチャネル信号送信情報を送受信する装置及び方法を提案する。
【００８０】
さらにまた、本発明の実施形態は、ＣｏＭＰ方式を使用するセルラー無線通信システムにおける信号受信装置が、ＰＢＣＨ信号が送信されるリソースを考慮して複数の信号送信装置が送信したダウンリンクデータチャネル信号の各々を受信するようにダウンリンクデータチャネル信号送信情報を送受信する装置及び方法を提案する。
【００８１】
さらにまた、本発明の実施形態は、ＣｏＭＰ方式を使用するセルラー無線通信システムにおける信号受信装置が、ＤＭ−ＲＳが送信されるリソースを考慮して複数の信号送信装置が送信したダウンリンクデータチャネル信号の各々を受信するようにダウンリンクデータチャネル信号送信情報を送受信する装置及び方法を提案する。
【００８２】
さらにまた、本発明の実施形態は、ＣｏＭＰ方式を使用するセルラー無線通信システムにおける信号受信装置が、ＳＩ−ＲＮＴＩ、Ｐ−ＲＮＴＩ、Ｃ−ＲＮＴＩ、ＳＰＳ−Ｃ−ＲＮＴＩ、及びＲＡ−ＲＮＴＩの中の少なくとも１つを考慮して複数の信号送信装置が送信したダウンリンクデータチャネル信号の各々を受信するようにダウンリンクデータチャネル信号送信情報を送受信する装置及び方法を提案する。
【００８３】
さらにまた、本発明の実施形態は、ＣｏＭＰ方式を使用するセルラー無線通信システムにおける信号受信装置が、ＤＣＩフォーマットを考慮して複数の信号送信装置が送信したダウンリンクデータチャネル信号の各々を受信するようにダウンリンクデータチャネル信号送信情報を送受信する装置及び方法を提案する。
【００８４】
さらにまた、本発明の実施形態は、ＣｏＭＰ方式を使用するセルラー無線通信システムで信号受信装置が、ＣｏＭＰ関連スケジューリング情報を考慮して複数の信号送信装置が送信したダウンリンクデータチャネル信号の各々を受信するようにダウンリンクデータチャネル信号送信情報を送受信する装置及び方法を提案する。
【００８５】
本発明の実施形態は、直交周波数分割多重化（orthogonal frequency division multiplexing：以下、“ＯＦＤＭ”と称する）方式に基づくロングタームエボリューションアドバンスド（Long Term Evolution Advanced：ＬＴＥ−Ａ）移動通信システムを参照して説明する。しかしながら、本発明の実施形態は、高速ダウンリンクパケットアクセス（High Speed Downlink Packet Access：ＨＳＤＰＡ）移動通信システム、高速アップリンクパケットアクセス（High Speed Uplink Packet Access：ＨＳＵＰＡ）移動通信システム、ロングタームエボリューション（Long Term Evolution：ＬＴＥ）移動通信システム、第３世代プロジェクトパートナーシップ２（3rd Generation Project Partnership 2：３ＧＰＰ２）により提案された高速パケットデータ（High Rate Packet Data：ＨＲＰＤ）移動通信システム、及び国際電気電子技術者協会（Institute of Electrical and Electronics Engineers：以下、“ＩＥＥＥ”と称する）８０２．１６ｍ移動通信システムの内のいずれか１つに適用されることができることは、当該技術分野における通常の知識を有する者には明らかである。
【００８６】
説明の便宜上、ＬＴＥ−Ａ移動通信システムがＣｏＭＰ方式を使用してサービスをＵＥに提供し、ダウンリンクデータチャネル信号がダウンリンク物理共有チャネル（Physical Downlink Shared Channel：以下、“ＰＤＳＣＨ”と称する）信号であると仮定する。
一方、セルラー無線通信システムは、限定された領域内に複数のセルを配置することにより具現され、各セルは、関連したセル内での無線通信サービスを提供する基地局（Base Station：以下、“ＢＳ”と称する）を通してセル内のユーザ端末機（ＵＥ）に無線通信サービスを提供する。このとき、特定のＵＥは、半静的（semi-static）に選択された１つのセルのみから無線通信サービスを受信する。このように、１個のＢＳを通して無線通信サービスが提供される方式を非協調マルチポイント（non-Cooperative multi-point：以下、“ｎｏｎ−ＣｏＭＰ”と称する）方式と称する。
【００８７】
ｎｏｎ−ＣｏＭＰ方式を使用するセルラー無線通信システムにおいて、セル内のすべてのＵＥの各々に提供される高速のデータ送信率は、各ＵＥの位置に従って大きく変わる。すなわち、比較的高いデータ送信率は、セル中央に位置したＵＥに提供されるが、相対的に高いデータ送信率は、セル境界領域に位置したＵＥに提供されることが難しい。
一方、ＣｏＭＰ方式において、複数のセルは、相互に協調することによりセル境界領域に位置したＵＥにサービスを提供する。ＣｏＭＰ方式を使用するセルラー無線通信システムは、ｎｏｎ−ＣｏＭＰ方式を使用するセルラー無線通信システムに比べて向上した無線通信サービスを提供できる。以下、説明の便宜上、ＣｏＭＰ方式を使用するセルラー無線通信システムを‘セルラーＣｏＭＰ無線通信システム’と称し、ｎｏｎ−ＣｏＭＰ方式を使用するセルラー無線通信システムを‘セルラーｎｏｎ−ＣｏＭＰ無線通信システム’と称する。
【００８８】
また、本発明の実施形態は、典型的なＣｏＭＰ方式であるダイナミックセル選択（dynamic cell selection：以下、“ＤＳ”と称する）方式、ダイナミックセル選択及びブランキング（dynamic cell selection with dynamic blanking：以下、“ＤＳ／ＤＢ”と称する）方式、ジョイント送信（joint transmission：以下、“ＪＴ”と称する）方式、及び協調スケジューリング／協調ビーム形成（coordinated scheduling/coordinated beam forming：以下、“ＣＳ／ＣＢ”と称する）方式などを使用してＵＥが複数のセルから送信されたＰＤＳＣＨ信号の効率的な受信を可能にするＰＤＳＣＨ信号送信情報送受信方法を提案する。
【００８９】
ＤＳ方式において、ＵＥは、セル別にチャネル状態を測定し、測定されたチャネル状態を示すフィードバック情報をＢＳに送信し、フィードバック情報を受信したＢＳは、ＵＥをターゲットとするダウンリンクデータを送信するセルを動的に選択し、選択されたセルを通してデータを送信する。
ＤＳ／ＤＢ方式では、特定のセルが特定のセルから他のセルへの干渉を減少させるためにデータを送信しない。ＪＴ方式では、複数のセルが同時に特定のＵＥにデータを送信する。
ＣＳ／ＣＢ方式では、相互の干渉を減少させることにより相互の協調を通して協調されたセルは、データをスケジューリングし、ビームを形成する。
【００９０】
本発明の実施形態において、ＵＥは、ＬＴＥ−Ａ移動通信システムにおいて、ＤＳ方式、ＤＳ／ＤＢ方式、ＪＴ方式、及びＣＳ／ＣＢ方式のようなＣｏＭＰ方式を効率的に使用することができるようにＰＤＳＣＨ信号受信方式を設計することによりＰＤＳＣＨ信号を効率的に受信することができる。
【００９１】
図４は、本発明の一実施形態によるＣｏＭＰ方式を使用するセルラー無線通信システムの構造を概略的に示す図である。
図４を参照すると、ＣｏＭＰ方式を使用するセルラー無線通信システムは、３個のセルを含み、各セルは、特定の送信地点がサービスを提供できるデータ送信領域を示す。各送信地点は、マクロ（macro）領域内でマクロＢＳ及びセル識別子（Cell IDentifier：以下、“Ｃｅｌｌ−ＩＤ”と称する）を共通で使用する遠隔無線ヘッド（remote radio head：ＲＲＨ）でもあり得、各送信地点が異なるＣｅｌｌ−ＩＤを使用するマクロセル又はピコ（pico）セルでもあり得る。
【００９２】
本発明の一実施形態において、中央制御装置（central control apparatus：以下、“ＣＣＡ”と称する）は、ＵＥとデータを送受信し、送受信されたデータを処理できる基地局（ＢＳ）又は基地局制御器（base station controller：ＢＳＣ）のような装置を意味する。ここで、各送信地点がマクロＢＳとＣｅｌｌ−ＩＤを共通で使用するＲＲＨである場合に、マクロＢＳは、ＣＣＡとなる。また、各送信地点が異なるＣｅｌｌ−ＩＤを使用するマクロセル又はピコセルである場合に、各セルを統合し管理する装置は、ＣＣＡとなる。
【００９３】
図４において、ＣｏＭＰ方式を使用するセルラー無線通信システムは、３個のセル３００、３１０、及び３２０と、最も近いセルからデータを受信するＵＥ３０１、３１１、及び３２１と、ＣｏＭＰ方式を使用してセル３００、３１０、及び３２０の各々からデータを受信するＵＥ３０２とを含む。最も近いセルからデータを受信するＵＥ３０１、３１１、及び３２１は、ＵＥ３０１、３１１、及び３２１の各々が位置したセルに対するチャネル状態を基準信号、すなわち、ＣＳＩ−ＲＳを使用して推定し、そのチャネル推定結果を含むフィードバック情報をＣＣＡ３３０に送信する。図４において、参照符号３３１、３３２、及び３３３は、セル３００、３１０、及び３２０の各々を管理するＢＳを示し、ＢＳ３３１、３３２、及び３３３の各々は、ＣＣＡ３３０と通信できる。
【００９４】
図４では、ＣｏＭＰ方式を使用して３個のセル３００、３１０、及び３２０のすべてから送信されたデータを受信するＵＥ３０２は、３個のセル３００、３１０、及び３２０のすべてから送信されるセル特定ＣＳＩ−ＲＳを使用して各セルのチャネル状態を推定しなければならない。したがって、ＣＣＡ３３０は、ＵＥ３０２により実行されたチャネル推定動作のために各セルに対応する３個のＣＳＩ−ＲＳリソースをＵＥ３０２に割り当てる。
【００９５】
図５は、本発明の一実施形態によるＣｏＭＰ方式を使用するセルラー無線通信システムにおけるＣＳＩ−ＲＳがリソースブロックで送信されるＣＳＩ−ＲＳリソースの位置を概略的に示す図である。
図５に図示されている各ブロックは、リソースブロックに含まれたリソースエレメント（resource element：以下、“ＲＥ”と称する）を示す。
【００９６】
図４及び図５を参照すると、ＣＣＡ３３０は、ＣｏＭＰ方式を使用してＣＳＩ−ＲＳを受信するＵＥ３０２が３個のセル３００、３１０、及び３２０のそれぞれのチャネルを推定でき、制御情報及びシステム情報が送信されるチャネルを推定できるように３個のＣＳＩ−ＲＳリソース４０１、４０２、及び４０３を割り当て、３個のＣＳＩ−ＲＳリソース４０１、４０２、及び４０３を使用してＣＳＩ−ＲＳを送信する。すなわち、セル３００のチャネルを推定するために使用されたＣＳＩ−ＲＳが送信されるＣＳＩ−ＲＳリソースは、ＲＥ４０１であり、セル３１０のチャネルを推定するために使用されたＣＳＩ−ＲＳが送信されるＣＳＩ−ＲＳリソースは、ＲＥ４０２であり、セル３２０のチャネルを推定するために使用されたＣＳＩ−ＲＳが送信されるＣＳＩ−ＲＳリソースは、ＲＥ４０３である。
【００９７】
このように、ＣｏＭＰ方式を使用して複数のセルからデータを受信するＵＥがセル別にチャネル状態を推定するために使用されるＣＳＩ−ＲＳが送信されるように割り当てられるリソースを含む集合を測定集合（measurement set）と称する。すなわち、測定集合は、任意のＵＥに割り当てられた、ＣＳＩ−ＲＳが送信されるように割り当てられたリソースを含む。説明の便宜上、ＣＳＩ−ＲＳが送信されるように割り当てられたリソースを‘ＣＳＩ−ＲＳリソース’と称する。また、測定集合は、少なくとも１個のＣＳＩ−ＲＳリソースを含む。
【００９８】
図５では、１個のリソースブロック内で３個のセルのためのＣＳＩ−ＲＳリソースが割り当てられ、ＣＳＩ−ＲＳ送信サブフレームに関する送信タイミング情報は、ＵＥに提供される。すなわち、表１で説明したようなＩＣＳＩ−ＲＳは、３個のセルに対するＣＳＩ−ＲＳリソース４０１、４０２、及び４０３に送信されなければならない。ＵＥは、ＩＣＳＩ−ＲＳを受信すると、送信タイミング情報として、例えば、表１に示すようなＣＳＩ−ＲＳが送信されるサブフレームの期間ＴＣＳＩ−ＲＳと、ＣＳＩ−ＲＳが送信されるサブフレームのオフセットΔＣＳＩ−ＲＳを取得できる。また、測定集合に含まれる各ＣＳＩ−ＲＳリソースがいくつの送信アンテナを使用するかに関する情報もＵＥに送信されなければならない。さらに、各ＣＳＩ−ＲＳ送信のために使用される送信電力に関する情報も送信されなければならない。
【００９９】
一方、ＣｏＭＰ方式を使用して各セルからダウンリンクデータチャネル信号を受信するＵＥに割り当てられた測定集合に含まれたすべてのＣＳＩ−ＲＳリソースが、ＵＥがアクセスするセル、すなわち、サービングセルと同一のＣｅｌｌ−ＩＤを使用するＲＲＨに対するチャネル状態を推定するために割り当てられたＣＳＩ−ＲＳリソースである場合に、ＣｏＭＰ方式を使用してダウンリンクデータチャネル信号を送信するセルで使用されるセル特定基準信号（Cell-Specific Reference Signal：以下、“ＣＲＳ”と称する）リソースと、ＳＹＮＣ信号リソースと、ＰＢＣＨリソースと、ＣＲＳの送信タイミングと、ＳＹＮＣ信号の送信タイミングと、ＰＢＣＨ信号の送信タイミングと、マルチメディアブロードキャストマルチキャストサービス単一周波数ネットワーク（Multimedia Broadcast Multicast Service single Frequency Network：以下、“ＭＢＳＦＮ”と称する）サブフレーム構成は、サービングセルで使用されるＣＲＳリソースと、ＳＹＮＣ信号リソースと、ＰＢＣＨリソースと、ＣＲＳの送信タイミングと、ＳＹＮＣ信号の送信タイミングと、ＰＢＣＨ信号の送信タイミングと、ＭＢＳＦＮサブフレーム構成と同一である。したがって、ＵＥは、従来技術のＬＴＥ−Ａ移動通信システムで使用された方式と同一の方式を用いてＣＲＳリソース、ＳＹＮＣ信号リソース、及びＰＢＣＨリソースを除外したリソースを通してＰＤＳＣＨ信号を受信できる。ここで、ＣＲＳリソースは、ＣＲＳが送信されるリソースを示す。
【０１００】
しかしながら、測定集合に含まれたＣＳＩ−ＲＳリソースの中の少なくとも1個がサービングセルのＣｅｌｌ−ＩＤとは異なるＣｅｌｌ−ＩＤを使用するセルで割り当てられる場合には、ＵＥが従来技術のＬＴＥ−Ａ移動通信システムで使用された方式と同一の方式を使用してサービングセルのＣｅｌｌ−ＩＤとは異なるＣｅｌｌ−ＩＤを使用するセルで送信されたＣＲＳ、ＳＹＮＣ信号、及びＰＢＣＨ信号の送信タイミングを検出することが不可能である。したがって、ＵＥは、ＰＤＳＣＨ信号を効率的に受信することが難しい。
【０１０１】
本発明の第１の実施形態乃至第１１の実施形態では、ＣＲＳ送信タイミング、ＳＹＮＣ送信タイミング、及びＰＢＣＨ送信タイミングを考慮してＰＤＳＣＨ信号を効率的に受信できるようにすることによりＰＤＳＣＨ信号送信情報を送受信する方法を提案する。第１の実施形態乃至第１１の実施形態について具体的に説明すると、次のようである。
【０１０２】
図６は、本発明の一実施形態によるＣｏＭＰ方式を使用するセルラー無線通信システムにおけるＣＲＳ−ＲＳリソースを割り当てる方法を概略的に示す図である。
図６を参照すると、縦軸は、サブキャリアインデックスを示し、横軸は、ＯＦＤＭシンボル時間を示す。
【０１０３】
また、Ｃｅｌｌ−ＩＤ１を使用するセルで割り当てられたＣＲＳリソースの位置は、０番目のサブキャリア＃０から開始され、Ｃｅｌｌ−ＩＤ２を使用するセルで割り当てられたＣＲＳリソースの位置は、１番目のサブキャリア＃１から開始される。したがって、ＵＥは、Ｃｅｌｌ−ＩＤ１を使用するセル及びＣｅｌｌ−ＩＤ２を使用するセルから動的に選択されたセルを通してＰＤＳＣＨ信号を受信するか、又はＣｅｌｌ−ＩＤ１を使用するセル及びＣｅｌｌ−ＩＤ２を使用するセルを通してＰＤＳＣＨ信号を受信する。したがって、ＵＥは、どのセルを通してＰＤＳＣＨ信号を受信するかに従って使用可能なＰＤＳＣＨリソースが変わり得る。
【０１０４】
図７は、本発明の一実施形態によるＣｏＭＰ方式を使用するセルラー無線通信システムにおけるＭＢＳＦＮサブフレーム構成を使用する場合のサブフレーム構造を概略的に示す図である。
図７において、ＣＲＳリソースを含まないＭＢＳＦＮサブフレームは、“ＭＢＳＦＮ”として示され、ＣＲＳリソースを含む一般サブフレームは、“Ｎｏｒｍａｌ”として示される。説明の便宜上、ＭＢＳＦＮサブフレームがＰＤＳＣＨ信号送信のために主に使用されると仮定する。
【０１０５】
図７を参照すると、サブフレーム＃０、＃４、＃５、＃９は、セル１（Ｃｅｌｌ  １）及びセル２（Ｃｅｌｌ  ２）で一般サブフレームとして設定されるので、図６で説明したように、セル１及びセル２で割り当てられたＣＲＳリソースの中でどのリソースを考慮してＰＤＳＣＨ信号を受信するかに対する問題が発生する。他方、サブフレーム＃２、＃３、＃７、＃８は、セル１及びセル２でＣＲＳリソースを含まないために、セル１及びセル２で割り当てられたＣＲＳリソースの中でどのリソースを考慮してＰＤＳＣＨ信号を受信するかに対する問題が発生せず、ＵＥは、復調基準信号（DeModulation Reference Signal：以下、“ＤＭ−ＲＳ”と称する）リソース及びＣＳＩ−ＲＳリソースを考慮してＰＤＳＣＨ信号を受信する。
【０１０６】
また、サブフレーム＃１は、セル１で一般サブフレームとして設定され、セル２でＭＢＳＦＮサブフレームとして設定されるので、セル１では、ＣＲＳリソースを含み、セル２では、ＣＲＳリソースを含まない。
すなわち、ＵＥは、測定集合に含まれたＣＳＩ−ＲＳリソースの各々を割り当てるセルに対するＭＢＳＦＮサブフレーム構成を検出することにより、ＭＢＳＦＮサブフレーム構成に基づいてサブフレーム別に異なるＰＤＳＣＨリソースが割り当てられることがわかる。
【０１０７】
図８は、本発明の一実施形態によるＣｏＭＰ方式を使用するセルラー無線通信システムにおける２個のセルが異なるサブフレームインデックスを使用する場合のサブフレーム構造を概略的に示す図である。
図８を参照すると、ＳＹＮＣ信号リソースを含むサブフレームは、“Ｓｙｎｃｈ．”として示され、ＰＢＣＨ信号リソースを含むサブフレームは、“ＰＢＣＨ”として示され、ＳＹＮＣ信号リソース及びＰＢＣＨ信号リソースを含むサブフレームは、“Ｓｙｎｃｈ．／ＰＢＣＨ”である。
【０１０８】
図８において、ＳＹＮＣ信号がセル１で送信されるサブフレームは、ＳＹＮＣ信号がセル２で送信されるサブフレームとは異なり、ＰＢＣＨ信号がセル１で送信されるサブフレームは、ＰＢＣＨ信号がセル２で送信されるサブフレームとは異なる。すなわち、セル１のサブフレームインデックスに基づいて、セル１に対するＳＹＮＣ信号及びＰＢＣＨ信号は、サブフレーム＃０を通して送信され、セル１に対するＳＹＮＣ信号は、サブフレーム＃５を通して送信され、セル２に対するＳＹＮＣ信号及びＰＢＣＨ信号は、セル１のサブフレーム＃４に対応するサブフレーム＃０を通して送信され、セル２に対するＳＹＮＣ信号は、セル１のサブフレーム＃９に対応するサブフレーム＃５を通して送信される。したがって、ＵＥは、ＰＤＳＣＨ信号送信のためにスケジューリングされたサブフレームインデックスに対応するセル１又はセル２のＳＹＮＣ信号リソース又はＰＢＣＨリソースを除外したリソースを通してＰＤＳＣＨ信号を受信しなければならない。
本発明の第１の実施形態乃至第１１の実施形態について説明すると、次のようである。
【０１０９】
＜第１の実施形態＞
図９は、本発明の第１の実施形態によるＣｏＭＰ方式を使用するセルラー無線通信システムにおけるＵＥがＰＤＳＣＨ信号を受信する方法を示すフローチャートである。
図９の説明に先立って、本発明の第１の実施形態において、ＢＳは、物理ダウンリンク制御チャネル（Physical Downlink Control CHannel：以下、“ＰＤＣＣＨ”と称する）を通してダウンリンクスケジューリング情報を送信し、ダウンリンクスケジューリング情報は、ＰＤＳＣＨ信号送信のために使用されたセル情報を含む。また、ＵＥは、セル情報を使用してどのセルでＰＤＳＣＨ信号送信が発生するかを検出した後に、関連したセルのＰＤＳＣＨリソースマッピング方式に基づいてＰＤＳＣＨ信号を受信する。
【０１１０】
図９を参照すると、ステップ９１１において、ＵＥは、測定集合情報（Measurement Set Information：ＭＳＩ）及びＭＢＳＦＮサブフレーム構成情報（Sub-frame Configuration Information：ＳＣＩ）をＢＳから受信する。ＢＳは、様々な方式を用いてＭＢＳＦＮ  ＳＣＩをＵＥに送信し、様々な方式について具体的に説明すると、次のようである。
【０１１１】
１番目の方式において、ＢＳは、測定集合に含まれたＣＳＩ−ＲＳリソースの各々を割り当てるセルで使用されたＭＢＳＦＮ  ＳＣＩをＭＳＩとともにＵＥに送信する。
例えば、測定集合に含まれたＣＳＩ−ＲＳリソースがＣＳＩ−ＲＳ−１リソース、ＣＳＩ−ＲＳ−２リソース、及びＣＳＩ−ＲＳ−３リソースである場合に、ＭＳＩは、｛ＣＳＩ−ＲＳ−１，ＣＳＩ−ＲＳ−２，ＣＳＩ−ＲＳ−３｝であり、各ＣＳＩ−ＲＳリソースに対するＭＢＳＦＮ  ＳＣＩは、｛ＭＢＳＦＮ−１，ＭＢＳＦＮ−２，ＭＢＳＦＮ−３｝であると仮定する。ここで、ＭＢＳＦＮ−１は、ＣＳＩ−ＲＳ−１リソースを割り当てるセルで使用されたＭＢＳＦＮ  ＳＣＩを含み、ＭＢＳＦＮ−２は、ＣＳＩ−ＲＳ−２リソースを割り当てるセルで使用されたＭＢＳＦＮ  ＳＣＩを含み、ＭＢＳＦＮ−３は、ＣＳＩ−ＲＳ−３リソースを割り当てるセルで使用されたＭＢＳＦＮ  ＳＣＩを含む。
【０１１２】
ＭＢＳＦＮ  ＳＣＩは、サービングセルで使用されたサブフレームインデックスに対応する値であり得る。他方、ＭＢＳＦＮ  ＳＣＩは、ＣＳＩ−ＲＳリソースを割り当てるセルで使用されたサブフレームインデックスに対応する値であり得る。ＭＢＳＦＮ  ＳＣＩがＣＳＩ−ＲＳリソースを割り当てるセルで使用されたサブフレームインデックスに対応する値である場合に、ＢＳは、サービングセルで使用されたサブフレームインデックスとＣＳＩ−ＲＳリソースを割り当てるセルで使用されたサブフレームインデックスとのサブフレームインデックスの差値をＵＥに送信しなければならない。この場合に、ＵＥは、ＭＢＳＦＮ  ＳＣＩ及びサブフレームインデックスの差値に基づいて関連するセルのＭＢＳＦＮサブフレームインデックスを検出できる。例えば、ＵＥは、サブフレームインデックスの差値をＭＢＳＦＮ  ＳＣＩに加算することにより、関連するセルのＭＢＳＦＮサブフレームインデックスを検出できる。
【０１１３】
２番目の方式において、測定集合に含まれたＣＳＩ−ＲＳリソースを割り当てるセルで使用されたＣｅｌｌ−ＩＤ、ＭＳＩ、及び測定集合に含まれたＣＳＩ−ＲＳリソースを割り当てるセルで使用されたＣｅｌｌ−ＩＤの中でサービングセルで使用されたＣｅｌｌ−ＩＤとは異なるＣｅｌｌ−ＩＤを使用するセルのＭＢＳＦＮ  ＳＣＩをＵＥに送信する。
例えば、特定のＵＥのＭＳＩ及び対応するＣｅｌｌ−ＩＤ情報が｛ＣＳＩ−ＲＳ−１（Ｃｅｌｌ−ＩＤ−１），ＣＳＩ−ＲＳ−２（Ｃｅｌｌ−ＩＤ−１），ＣＳＩ−ＲＳ−３（Ｃｅｌｌ−ＩＤ−２）｝であり、Ｃｅｌｌ−ＩＤ−１がサービングセルのＣｅｌｌ−ＩＤであると仮定する。この場合に、ＢＳは、ＭＳＩ、測定集合に含まれたＣＳＩ−ＲＳリソースを割り当てるセルで使用されたＣｅｌｌ−ＩＤ、サービングセルで使用されたＣｅｌｌ−ＩＤとは異なるＣｅｌｌ−ＩＤ、すなわち、Ｃｅｌｌ−ＩＤ−２を使用するセルで使用されたＭＢＳＦＮ  ＳＣＩ、すなわち、ＭＢＳＦＮ−２をＵＥに送信する。この場合に、ＵＥは、各セルのシステム情報に含まれているサービングセルのＭＢＳＦＮ  ＳＣＩを使用してＣｅｌｌ−ＩＤ−１を使用するセルに対するＭＢＳＦＮ  ＳＣＩを検出する。
【０１１４】
３番目の方式において、ＢＳは、ＭＳＩ、測定集合に含まれたＣＳＩ−ＲＳリソースの各々がサービングセルで割り当てられるか否かを示す情報と、測定集合に含まれたＣＳＩ−ＲＳリソースを割り当てるセルの中でサービングセルとは異なるセルで使用されたＭＢＳＦＮ  ＳＣＩをＵＥに送信する。
例えば、特定のＵＥのＭＳＩが｛ＣＳＩ−ＲＳ−１，ＣＳＩ−ＲＳ−２，ＣＳＩ−ＲＳ−３｝であり、測定集合に含まれるＣＳＩ−ＲＳリソースのそれぞれがサービングセルで割り当てられるか否かを示す情報がビットマップ、すなわち、［１，０，０］であると仮定する。ここで、値‘１’は、関連したＣＳＩ−ＲＳリソースがサービングセルで割り当てられたＣＳＩ−ＲＳリソースであることを示し、値‘０’は、関連したＣＳＩ−ＲＳリソースがサービングセルとは異なるセルで割り当てられたＣＳＩ−ＲＳリソースであることを示す。ＢＳは、サービングセルとは異なるセルで割り当てられたＣＳＩ−ＲＳ−２リソース及びＣＳＩ−ＲＳ−３リソースに対するＭＢＳＦＮ  ＳＣＩとして｛ＭＢＳＦＮ−２，ＭＢＳＦＮ−３｝をＵＥに送信する。この場合に、ＵＥは、各セルのシステム情報に含まれているサービングセルのＭＢＳＦＮ  ＳＣＩを使用してＣＳＩ−ＲＳ−１リソースに対するＭＢＳＦＮ  ＳＣＩを検出する。
【０１１５】
一方、ＵＥは、ステップ９１３において、ＰＤＣＣＨを通してＰＤＳＣＨスケジューリング情報を受信し、ＰＤＳＣＨスケジューリング情報を使用してＰＤＳＣＨ信号を送信するセルに関する情報を検出する。特定のＵＥのＭＳＩが｛ＣＳＩ−ＲＳ−１，ＣＳＩ−ＲＳ−２｝である場合には、２ビットを含むビットマップは、特定のＵＥに送信され、ビットマップが［１，０］である場合には、ＣＳＩ−ＲＳ−１リソースを割り当てるセルでＰＤＳＣＨ信号が送信される。ビットマップが［０，１］である場合には、ＰＤＳＣＨ信号がＣＳＩ−ＲＳ−２リソースを割り当てるセルで送信され、ビットマップが［１，１］である場合には、ＣＳＩ−ＲＳ−１リソースを割り当てるセル及びＣＳＩ−ＲＳ−２リソースを割り当てるセルのすべてでＰＤＳＣＨ信号が送信される。
【０１１６】
ステップ９１５において、ＵＥは、ＰＤＳＣＨ信号がスケジューリングされたサブフレームで送信されるセルのＭＢＳＦＮ  ＳＣＩを検出する。ステップ９１７において、ＵＥは、ＰＤＳＣＨ信号がスケジューリングされたサブフレームで送信されるセルの中でスケジューリングされたサブフレームが一般サブフレームとして設定されるセルのＣＲＳリソースを検出する。ＣＲＳリソースの位置を検出する動作について説明すると、次のようである。
【０１１７】
１個のセルでＰＤＳＣＨ信号が送信される場合に、ＵＥは、ＣＲＳリソースがＭＢＳＦＮサブフレームとして設定される場合に、関連するセルのＣＲＳリソースを考慮せずにＰＤＳＣＨ信号を受信し、ＣＲＳリソースが一般サブフレームとして設定される場合に、ＰＤＳＣＨ信号がＣＲＳリソースの位置で送信されないことを検出する。
【０１１８】
ＰＤＳＣＨ信号が同時に複数のセルで送信される場合には、ＵＥは、ＰＤＳＣＨ信号が複数のセルで割り当てられたＣＲＳリソースの中で一般サブフレームとして設定されたＣＲＳリソースを通して送信されないことを検出する。ＢＳは、サービングセルとは異なるセルで割り当てられたＣＲＳリソースの位置に関する情報をＭＳＩとともにＵＥに送信でき、ＣＲＳリソースの位置に関する情報を送信する動作について具体的に説明すると、次のようである。
【０１１９】
１番目に、ＢＳは、各ＣＳＩ−ＲＳリソースを割り当てるセルで使用されたＣｅｌｌ−ＩＤをＵＥに送信することにより、サービングセルとは異なるセルで割り当てられたＣＲＳリソースの位置に関する情報を送信できる。
２番目に、ＢＳは、ＣＲＳリソースの開始位置をＵＥに送信することによりサービングセルとは異なるセルで割り当てられたＣＲＳリソースの位置に関する情報を送信できる。
３番目に、ＢＳは、ＣＲＳポートの個数をＭＳＩとともにＵＥに送信することによりサービングセルとは異なるセルで割り当てられたＣＲＳリソースの位置に関する情報を送信できる。この場合に、ＵＥは、サービングセル以外のセルが常に４個のＣＲＳポートを使用すると仮定してＣＲＳリソースの位置を確認することができる。
【０１２０】
一方、ステップ９１９において、ＵＥは、ＰＤＳＣＨ信号がスケジューリングされたサブフレームで送信されるセルの中でＳＹＮＣ信号又はＰＢＣＨ信号がスケジューリングされたサブフレームで送信されるセルが存在するか否かを判定する。
判定の結果、ＰＤＳＣＨ信号がスケジューリングされたサブフレームで送信されるセルの中でＳＹＮＣ信号又はＰＢＣＨ信号がスケジューリングされたサブフレームで送信されるセルが存在する場合に、ＵＥは、ステップ９２１において、ＣＲＳリソース、ＳＹＮＣ信号リソース又はＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１２１】
他方、ＰＤＳＣＨ信号がスケジューリングされたサブフレームで送信されるセルの中でＳＹＮＣ信号又はＰＢＣＨ信号がスケジューリングされたサブフレームで送信されるセルが存在しない場合に、ＵＥは、ステップ９２３において、ＣＲＳリソース、ＣＳＩ−ＲＳリソース、及びＤＭ−ＲＳリソースを除外したリソースを通してＰＤＳＣＨ信号を受信することによりダウンリンクデータを検出する。
【０１２２】
図９において、ＵＥがサービングセル以外のセルに対してもＳＹＮＣ信号及びＰＢＣＨ信号の送信タイミングを確認することができると仮定する。
しかしながら、ＵＥは、サービングセル以外のセルに対してＳＹＮＣ信号及びＰＢＣＨ信号の送信タイミングを検出できないことがある。この場合に、ステップ９１９は、サービングセルの関連するサブフレームでＳＹＮＣ信号送信又はＰＢＣＨ信号送信が発生するか否かを判定するステップとして修正される。すなわち、ＵＥがサービングセル以外のセルに対してＳＹＮＣ信号及びＰＢＣＨ信号の送信タイミングを検出できない場合に、ＵＥは、サービングセルのＳＹＮＣ信号及びＰＢＣＨ信号の送信タイミングを考慮してＰＤＳＣＨ信号を受信する。
【０１２３】
＜第２の実施形態＞
図１０は、本発明の第２の実施形態によるＣｏＭＰ方式を使用するセルラー無線通信システムにおけるＵＥがＰＤＳＣＨ信号を受信する方法を示すフローチャートである。
図１０の説明に先立って、本発明の第２の実施形態において、ＢＳは、ＰＤＣＣＨを通してダウンリンクスケジューリング情報を送信し、ダウンリンクスケジューリング情報は、ＰＤＳＣＨ信号送信のために使用されたセル情報を含む。ＵＥは、セル情報を使用してどのセルでＰＤＳＣＨ信号送信が発生するかを検出した後に、関連するセルのＰＤＳＣＨリソースマッピング方式に基づいてＰＤＳＣＨ信号を受信する。
【０１２４】
図１０を参照すると、ＵＥは、ステップ１０１１において、ＭＳＩ及び測定集合に含まれたＣＳＩ−ＲＳリソースを割り当てるセルのＭＢＳＦＮ  ＳＣＩを受信する。ＵＥは、ステップ１０１３において、ＰＤＣＣＨを通してＰＤＳＣＨスケジューリング情報をＢＳから受信し、ＰＤＳＣＨスケジューリング情報を使用してＰＤＳＣＨ信号を送信するセルに関する情報を検出する。例えば、ＰＤＳＣＨ信号を送信するセルに関する情報は、１ビットで具現されることができ、ＰＤＳＣＨ信号を送信するセルに関する情報を受信したＵＥは、以下に述べられる表２のように、ＰＤＳＣＨ信号を送信するセルに関する情報を解析する。
【０１２５】
【表２】
2015503881.tif 000005
【０１２６】
一方、ＰＤＳＣＨ信号を送信するセルに関する情報は、２ビットで具現されることができ、ＵＥは、以下に述べられる表３のようにＰＤＳＣＨ信号を送信するセルに関する情報を解析する。
【０１２７】
【表３】
2015503881.tif 000006
【０１２８】
表３で上述したように、ＵＥがサービングセルでＰＤＳＣＨ信号が送信されることを検出するか（ＰＤＳＣＨ信号＝＝００を送信するセルに関する情報）、又はＵＥが無線リソース制御（radio resource control：以下、“ＲＲＣ”と称する）メッセージを通して１番目のセルセットでＰＤＳＣＨ信号が送信されることを検出するか（ＰＤＳＣＨ信号＝＝０１を送信するセルに関する情報）、又はＵＥがＲＲＣメッセージを通して２番目のセルでＰＤＳＣＨ信号が送信されることを検出する（ＰＤＳＣＨ信号＝＝１１を送信するセルに関する情報）場合に、ＵＥは、関連するサブフレームに含まれているＣＲＳリソース、ＰＢＣＨリソース、ＳＹＮＣ信号リソース、ＣＳＩ−ＲＳリソース、及びＤＭ−ＲＳリソースを除外した残りのリソースを通してＰＤＳＣＨ信号を受信することによりダウンリンクデータを検出する。
【０１２９】
他方、ＵＥが測定集合に含まれたＣＳＩ−ＲＳリソースを割り当てるすべてのセルでＰＤＳＣＨ信号が送信されることを検出する（ＰＤＳＣＨ信号＝＝１１を送信するセルに関する情報）場合に、ＵＥは、関連するサブフレームがＭＢＳＦＮサブフレームとして設定されない、測定集合に含まれたＣＳＩ−ＲＳリソースを割り当てるすべてのセルに対して関連するサブフレームに含まれ得るＣＲＳリソース、ＰＢＣＨリソース、ＳＹＮＣ信号リソース、ＣＳＩ−ＲＳリソース、及びＤＭ−ＲＳリソースを除外した残りのリソースを通してＰＤＳＣＨ信号を受信することによりダウンリンクデータを検出する。上記の表３で説明したＲＲＣメッセージは、下記のような６個の情報の中の少なくとも１つを含む。
Ｃｅｌｌ−ＩＤ
ＭＢＳＦＮ  ＳＣＩ
ＣＲＳポートの個数
ＣＲＳリソース位置情報
サービングセルで使用されたサブフレームインデックスと関連するセルで使用されたサブフレームインデックスとの間のサブフレームインデックス差値
制御チャネルのために使用されるＯＦＤＭシンボルの個数
【０１３０】
ステップ１０１５において、ＵＥは、スケジューリングされたサブフレームでＰＤＳＣＨ信号が送信されるセルに対するＭＢＳＦＮ  ＳＣＩを検出する。ＵＥは、ステップ１０１７において、ＰＤＳＣＨ信号がスケジューリングされたサブフレームで送信されるセルの中で、スケジューリングされたサブフレームが一般サブフレームとして設定されるセルのＣＲＳリソース位置を検出する。ステップ１０１９において、ＵＥは、ＰＤＳＣＨ信号が送信されるセルの中でＳＹＮＣ信号又はＰＢＣＨ信号がスケジューリングされたサブフレームで送信されるセルを検出する。ステップ１０２１において、ＵＥは、ＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１３１】
図１０において、ＵＥがサービングセル以外のセルに対してＳＹＮＣ信号及びＰＢＣＨ信号の送信タイミングを確認することができると仮定する。
しかしながら、ＵＥは、サービングセル以外のセルに対してＳＹＮＣ信号及びＰＢＣＨ信号の送信タイミングを確認できないことがある。この場合には、ＵＥがサービングセルのＳＹＮＣ信号及びＰＢＣＨ信号の送信タイミングを考慮してＰＤＳＣＨ信号を受信する。
【０１３２】
＜第３の実施形態＞
図１１は、本発明の第３の実施形態によるＣｏＭＰ方式を使用するセルラー無線通信システムにおけるＵＥがＰＤＳＣＨ信号を受信する方法を示すフローチャートである。
図１１の説明に先立って、本発明の第３の実施形態において、ＵＥは、測定集合に含まれたＣＳＩ−ＲＳリソースを割り当てるセルに対するＭＢＳＦＮ  ＳＣＩを確認した後に、すべてのＣＲＳリソース、ＳＹＮＣ信号リソース、及びＰＢＣＨリソースを除外した残りのリソースを通してＰＤＳＣＨ信号を受信する。
【０１３３】
図１１を参照すると、ステップ１１１１において、ＵＥは、ＭＳＩ及び測定集合に含まれたＣＳＩ−ＲＳリソースを割り当てるセルのＭＢＳＦＮ  ＳＣＩをＢＳから受信する。ＢＳが各セルのＭＢＳＦＮ  ＳＣＩをＵＥに送信する方式は、本発明の第１の実施形態で説明したものと同様であるので、ここでは、その詳細な説明を省略する。ステップ１１１３において、ＵＥは、ＰＤＣＣＨを通してＰＤＳＣＨスケジューリング情報をＢＳから受信した後に、ステップ１１１５において、スケジューリングされたサブフレームで測定集合に含まれたＣＳＩ−ＲＳリソースを割り当てるセルのＭＢＳＦＮ  ＳＣＩを検出する。
【０１３４】
ステップ１１１７において、ＵＥは、測定集合に含まれたＣＳＩ−ＲＳリソースを割り当てるセルの中でスケジューリングされたサブフレームが一般サブフレームとして設定された各セルのＣＲＳリソースの位置を検出する。すなわち、ＵＥは、測定集合に含まれたＣＳＩ−ＲＳリソースを割り当てるセルの中でスケジューリングされたサブフレームが一般サブフレームとして設定された各セルのすべてのＣＲＳリソースの位置では、ＰＤＳＣＨ信号が送信されないことを検出する。
ＢＳは、サービングセルとは異なるセルで割り当てられたＣＲＳリソースの位置に関する情報をＭＳＩとともにＵＥに送信し、これについて具体的に説明すると、次のようである。
【０１３５】
１番目に、ＢＳは、各ＣＳＩ−ＲＳリソースを割り当てるセルで使用されたＣｅｌｌ−ＩＤをＵＥに送信することによりサービングセルとは異なるセルで割り当てられたＣＲＳリソースの位置に関する情報を送信できる。
２番目に、ＢＳは、ＣＲＳリソースの開始位置をＵＥに送信することによりサービングセルとは異なるセルで割り当てられたＣＲＳリソースの位置に関する情報を送信できる。
３番目に、ＢＳは、ＣＲＳポートの個数をＭＳＩとともに送信することによりサービングセルとは異なるセルで割り当てられたＣＲＳリソースの位置に関する情報を送信できる。この場合には、ＵＥが、サービングセル以外のセルが常に４個のＣＲＳポートを使用すると仮定してＣＲＳリソースの位置を確認することができる。
【０１３６】
一方、ステップ１１１９において、ＵＥは、測定集合に含まれたＣＳＩ−ＲＳリソースを割り当てるセルの中でスケジューリングされたサブフレームでＳＹＮＣ信号又はＰＢＣＨ信号が送信されるセルが存在するか否かを判定する。
判定の結果、測定集合に含まれたＣＳＩ−ＲＳリソースを割り当てるセルの中でスケジューリングされたサブフレームでＳＹＮＣ信号又はＰＢＣＨ信号が送信されるセルが存在する場合に、ＵＥは、ステップ１１２１において、ＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１３７】
他方、測定集合に含まれたＣＳＩ−ＲＳリソースを割り当てるセルの中でスケジューリングされたサブフレームでＳＹＮＣ信号又はＰＢＣＨ信号が送信されるセルが存在しない場合に、ＵＥは、ステップ１１２３において、ＣＲＳリソース、ＣＳＩ−ＲＳリソース、及びＤＭ−ＲＳリソースを除外したリソースを通してＰＤＳＣＨ信号を受信することによりダウンリンクデータを検出する。
【０１３８】
図１１では、ＵＥがサービングセル以外のセルに対してもＳＹＮＣ信号及びＰＢＣＨ信号の送信タイミングを確認することができると仮定する。
しかしながら、ＵＥは、サービングセル以外のセルに対してＳＹＮＣ信号及びＰＢＣＨ信号の送信タイミングを確認できないこともある。この場合に、ステップ１１１９は、サービングセルの関連するサブフレームでＳＹＮＣ信号送信又はＰＢＣＨ信号送信が発生するか否かを判定するステップとして修正される。すなわち、ＵＥがサービングセル以外のセルに対してＳＹＮＣ信号及びＰＢＣＨ信号の送信タイミングを検出できない場合に、ＵＥは、サービングセルのＳＹＮＣ信号及びＰＢＣＨ信号の送信タイミングを考慮してＰＤＳＣＨ信号を受信する。
【０１３９】
＜第４の実施形態＞
図１２は、本発明の第４の実施形態によるＣｏＭＰ方式を使用するセルラー無線通信システムにおけるＵＥがＰＤＳＣＨ信号を受信する方法を示すフローチャートである。
図１２の説明に先立って、本発明の第４の実施形態において、ＵＥは、測定集合に含まれたＣＳＩ−ＲＳリソースを割り当てるセルに対するＭＢＳＦＮ  ＳＣＩを確認した後に、使用可能なすべてのＣＲＳリソースをＰＤＳＣＨ信号を受信するリソースから除外する。ＵＥは、測定集合に含まれたＣＳＩ−ＲＳリソースを割り当てるすべてのセルがＳＹＮＣ信号及びＰＢＣＨ信号を同時に送信する場合のみに、ＳＹＮＣ信号リソース及びＰＢＣＨリソースをＰＤＳＣＨ信号を受信するリソースから除外する。測定集合に含まれたＣＳＩ−ＲＳリソースを割り当てるセルの中の少なくとも１個のセルがＳＹＮＣ信号及びＰＢＣＨ信号を送信しない場合には、ＵＥは、関連するリソース、すなわち、ＳＹＮＣ信号リソース及びＰＢＣＨリソースをＰＤＳＣＨ信号を受信するリソースから除外せず、関連するＳＹＮＣ信号リソース及びＰＢＣＨリソースを通してＰＤＳＣＨ信号を受信する。
【０１４０】
図１２を参照すると、ステップ１２１１において、ＵＥは、ＭＳＩ及び測定集合に含まれたＣＳＩ−ＲＳリソースを割り当てるセルのＭＢＳＦＮ  ＳＣＩをＢＳから受信する。ＢＳが各セルのＭＢＳＦＮ  ＳＣＩをＵＥに送信する方式は、本発明の第１の実施形態で説明したものと同様であるので、ここでは、その詳細な説明を省略する。
【０１４１】
ＵＥは、ステップ１２１３において、ＰＤＣＣＨを通してＰＤＳＣＨスケジューリング情報をＢＳから受信する。ＵＥは、ステップ１２１５において、スケジューリングされたサブフレームで測定集合に含まれたＣＳＩ−ＲＳリソースを割り当てるセルのＭＢＳＦＮ  ＳＣＩを検出する。ＵＥは、ステップ１２１７において、測定集合に含まれたＣＳＩ−ＲＳリソースを割り当てるセルの中でスケジューリングされたサブフレームが一般サブフレームとして設定された各セルのＣＲＳリソースの位置を検出する。すなわち、ＵＥは、測定集合に含まれたＣＳＩ−ＲＳリソースを割り当てるセルの中でスケジューリングされたサブフレームが一般サブフレームとして設定された各セルのすべてのＣＲＳリソースの位置では、ＰＤＳＣＨ信号が送信されないことを検出する。ＢＳは、サービングセル以外のセルで割り当てられたＣＲＳリソースの位置に関する情報をＭＳＩとともにＵＥに送信でき、ＣＲＳリソースの位置に関する情報を送信する動作について具体的に説明すると、次のようである。
【０１４２】
１番目に、ＢＳは、各ＣＳＩ−ＲＳリソースを割り当てるセルで使用されたＣｅｌｌ−ＩＤをＵＥに送信することによりサービングセルとは異なるセルで割り当てられたＣＲＳリソースの位置に関する情報を送信できる。
２番目に、ＢＳは、ＣＲＳリソースの開始位置をＵＥに送信することによりサービングセルとは異なるセルで割り当てられたＣＲＳリソースの位置に関する情報を送信できる。
３番目に、ＢＳは、ＣＲＳポートの個数をＭＳＩとともにＵＥに送信することによりサービングセルとは異なるセルで割り当てられたＣＲＳリソースの位置に関する情報を送信できる。この場合には、ＵＥが、サービングセル以外のセルが常に４個のＣＲＳポートを使用すると仮定してＣＲＳリソースの位置を確認することができる。
【０１４３】
一方、ステップ１２１９において、ＵＥは、測定集合に含まれたＣＳＩ−ＲＳリソースを割り当てるすべてのセルがスケジューリングされたサブフレームでＳＹＮＣ信号又はＰＢＣＨ信号を同時に送信するか否かを判定する。
この判定の結果、測定集合に含まれたＣＳＩ−ＲＳリソースを割り当てるすべてのセルがスケジューリングされたサブフレームでＳＹＮＣ信号又はＰＢＣＨ信号を同時に送信する場合に、ＵＥは、ステップ１２２１において、ＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１４４】
他方、測定集合に含まれたＣＳＩ−ＲＳリソースを割り当てるすべてのセルがスケジューリングされたサブフレームでＳＹＮＣ信号又はＰＢＣＨ信号を同時に送信しない場合、すなわち、測定集合に含まれたＣＳＩ−ＲＳリソースを割り当てるすべてのセルの中の少なくとも１個のセルがスケジューリングされたサブフレームでＳＹＮＣ信号又はＰＢＣＨ信号を送信しない場合に、ＵＥは、ステップ１２２３において、ＣＲＳリソース、ＣＳＩ−ＲＳリソース、及びＤＭ−ＲＳリソースを除外したリソースを通してＰＤＳＣＨ信号を受信することによりダウンリンクデータを検出する。
【０１４５】
図１２では、ＵＥがサービングセル以外のセルに対してもＳＹＮＣ信号及びＰＢＣＨ信号の送信タイミングを確認することができると仮定する。
しかしながら、ＵＥは、サービングセル以外のセルに対してＳＹＮＣ信号及びＰＢＣＨ信号の送信タイミングを確認できないことがある。この場合には、ステップ１２１９がサービングセルの関連するサブフレームでＳＹＮＣ信号送信又はＰＢＣＨ信号送信が発生するか否かを判定するステップとして修正される。すなわち、ＵＥがサービングセル以外のセルに対してＳＹＮＣ信号及びＰＢＣＨ信号の送信タイミングを確認できない場合に、ＵＥは、サービングセルのＳＹＮＣ信号及びＰＢＣＨ信号の送信タイミングを考慮してＰＤＳＣＨ信号を受信する。
【０１４６】
＜第５の実施形態＞
図１３は、本発明の第５の実施形態によるＣｏＭＰ方式を使用するセルラー無線通信システムにおけるＵＥがＰＤＳＣＨ信号を受信する方法を示すフローチャートである。
図１３の説明に先立って、本発明の第５の実施形態において、ＵＥは、測定集合に含まれたＣＳＩ−ＲＳリソースを割り当てるセルに対するＭＢＳＦＮ  ＳＣＩを検出した後に、関連するサブフレームが少なくとも１個のセルでＭＢＳＦＮサブフレームとして設定される場合にＣＲＳリソースを考慮せずにＰＤＳＣＨ信号を受信する。
【０１４７】
ＵＥは、測定集合に含まれたＣＳＩ−ＲＳリソースを割り当てるすべてのセルがＳＹＮＣ信号及びＰＢＣＨ信号を同時に送信する場合のみにＳＹＮＣ信号リソース及びＰＢＣＨリソースをＰＤＳＣＨリソースから除外し、測定集合に含まれたＣＳＩ−ＲＳリソースを割り当てるすべてのセルの中の少なくとも１個のセルがＳＹＮＣ信号及びＰＢＣＨ信号を送信しない場合には、関連するリソースを考慮せずにＰＤＳＣＨ信号を受信する。したがって、ＵＥは、本発明の第５の実施形態に基づいてＰＤＳＣＨ信号を受信する場合に、最大のリソースを割り当てるセルを通してＰＤＳＣＨ信号を受信する。
【０１４８】
図１３を参照すると、ステップ１３１１において、ＵＥは、ＭＳＩ及び測定集合に含まれたＣＳＩ−ＲＳリソースを割り当てるセルのＭＢＳＦＮ  ＳＣＩをＢＳから受信する。ＢＳが各セルのＭＢＳＦＮ  ＳＣＩをＵＥに送信する方式は、本発明の第１の実施形態で説明したものと同様であるので、ここでは、その詳細な説明を省略する。ＵＥは、ステップ１３１３において、ＰＤＣＣＨを通してＰＤＳＣＨスケジューリング情報をＢＳから受信する。ＵＥは、ステップ１３１５において、スケジューリングされたサブフレームで測定集合に含まれたＣＳＩ−ＲＳリソースを割り当てるセルのＭＢＳＦＮ  ＳＣＩを検出する。
【０１４９】
ＵＥは、ステップ１３１７において、測定集合に含まれたＣＳＩ−ＲＳリソースを割り当てるすべてのセルで関連するサブフレームが一般サブフレームとして設定されるか否かを判定する。判定の結果、測定集合に含まれたＣＳＩ−ＲＳリソースを割り当てるすべてのセルで関連するサブフレームが一般サブフレームとして設定されていない場合には、ＵＥは、ステップ１３１９において、ＣＳＩ−ＲＳリソース及びＤＭ−ＲＳリソースを除外したリソースを通してＰＤＳＣＨ信号を受信することによりダウンリンクデータを検出する。
【０１５０】
他方、測定集合に含まれたＣＳＩ−ＲＳリソースを割り当てるすべてのセルで関連するサブフレームが一般サブフレームとして設定される場合には、ＵＥは、ステップ１３２１において、測定集合に含まれたＣＳＩ−ＲＳリソースを割り当てるすべてのセルのＣＲＳリソースの位置を確認する。すなわち、ＵＥは、測定集合に含まれたＣＳＩ−ＲＳリソースを割り当てるすべてのセルのＣＲＳリソースを通してＰＤＳＣＨ信号が送信されないことを検出する。ＢＳは、サービングセルとは異なるセルで割り当てられたＣＲＳリソースの位置に関する情報をＭＳＩとともにＵＥに送信でき、ＣＲＳリソースの位置に関する情報を送信する動作について具体的に説明すると、次のようである。
【０１５１】
１番目に、ＢＳは、各ＣＳＩ−ＲＳリソースを割り当てるセルで使用されたＣｅｌｌ−ＩＤをＵＥに送信することによりサービングセルとは異なるセルで割り当てられたＣＲＳリソースの位置に関する情報を送信できる。
２番目に、ＢＳは、ＣＲＳリソースの開始位置をＵＥに送信することによりサービングセルとは異なるセルで割り当てられたＣＲＳリソースの位置に関する情報を送信できる。
３番目に、ＢＳは、ＣＲＳポートの個数をＭＳＩとともにＵＥに送信することによりサービングセルとは異なるセルで割り当てられたＣＲＳリソースの位置に関する情報を送信できる。この場合には、ＵＥがサービングセル以外のセルが常に４個のＣＲＳポートを使用すると仮定してＣＲＳリソースの位置を確認できる。
【０１５２】
一方、ステップ１３２３において、ＵＥは、測定集合に含まれたＣＳＩ−ＲＳリソースを割り当てるすべてのセルがスケジューリングされたサブフレームでＳＹＮＣ信号又はＰＢＣＨ信号を同時に送信するか否かを判定する。
この判定の結果、測定集合に含まれたＣＳＩ−ＲＳリソースを割り当てるすべてのセルがスケジューリングされたサブフレームでＳＹＮＣ信号又はＰＢＣＨ信号を同時に送信する場合に、ＵＥは、ステップ１３２５において、ＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１５３】
他方、測定集合に含まれたＣＳＩ−ＲＳリソースを割り当てるすべてのセルがスケジューリングされたサブフレームでＳＹＮＣ信号又はＰＢＣＨ信号を同時に送信しない場合、すなわち、測定集合に含まれたＣＳＩ−ＲＳリソースを割り当てるすべてのセルの中の少なくとも１個のセルがスケジューリングされたサブフレームでＳＹＮＣ信号又はＰＢＣＨ信号を送信しない場合に、ＵＥは、ステップ１３２７において、ＣＲＳリソース、ＣＳＩ−ＲＳリソース、及びＤＭ−ＲＳリソースを除外したリソースを通してＰＤＳＣＨ信号を受信することによりダウンリンクデータを検出する。
【０１５４】
図１３では、ＵＥがサービングセル以外のセルに対してもＳＹＮＣ信号及びＰＢＣＨ信号の送信タイミングを確認することができると仮定する。
しかしながら、ＵＥは、サービングセル以外のセルに対してＳＹＮＣ信号及びＰＢＣＨ信号の送信タイミングを確認できないことがある。この場合には、ステップ１３２３がサービングセルの関連するサブフレームでＳＹＮＣ信号送信又はＰＢＣＨ信号送信が発生するか否かを判定するステップとして修正される。すなわち、ＵＥがサービングセル以外のセルに対してＳＹＮＣ信号及びＰＢＣＨ信号の送信タイミングを確認できない場合に、ＵＥは、サービングセルのＳＹＮＣ信号及びＰＢＣＨ信号の送信タイミングを考慮してＰＤＳＣＨ信号を受信する。
【０１５５】
＜第６の実施形態＞
図１４は、本発明の第６の実施形態によるＣｏＭＰ方式を使用するセルラー無線通信システムにおけるＵＥがＰＤＳＣＨ信号を受信する方法を示すフローチャートである。
図１４の説明に先立って、本発明の第１の実施形態乃至第５の実施形態において、ＵＥは、ＰＤＳＣＨ信号を受信するセルが動的に変更されるＤＳ方式、ＤＳ／ＤＢ方式、及びＪＴ方式を考慮してＰＤＳＣＨ信号を受信する。しかしながら、本発明の第６の実施形態において、ＵＥは、ＤＳ方式、ＤＳ／ＤＢ方式、及びＪＴ方式だけでなく、サービングセルからＰＤＳＣＨ信号を受信するＣＳ／ＣＢ方式も考慮してＰＤＳＣＨ信号を受信する。
【０１５６】
したがって、本発明の第６の実施形態では、ＢＳが測定集合に含まれたＣＳＩ−ＲＳリソースを割り当てるセルの中でサービングセル以外のセルで割り当てられたＣＲＳリソース、ＳＹＮＣ信号リソース、又はＰＢＣＨリソースがＰＤＳＣＨ信号を受信するリソースに含まれるか否かを示すパラメータであるＰＤＳＣＨオーバーヘッド（以下、“ＰＤＳＣＨ＿ＯＶＥＲＨＥＡＤ”と称する）パラメータをＲＲＣメッセージを用いてＵＥに送信する。ここで、ＰＤＳＣＨ＿ＯＶＥＲＨＥＡＤパラメータを含むＲＲＣメッセージは、新たなＲＲＣメッセージとして具現されることもでき、又は既存のＲＲＣメッセージとして具現されることもできる。ＰＤＳＣＨ＿ＯＶＥＲＨＥＡＤパラメータを含むＲＲＣメッセージの詳細な説明については、簡単のために省略する。ＵＥは、ＰＤＳＣＨ＿ＯＶＥＲＨＥＡＤパラメータの値に基づいてＰＤＳＣＨ信号を受信するリソースを決定する。
【０１５７】
ここで、ＰＤＳＣＨ＿ＯＶＥＲＨＥＡＤパラメータは、１ビットで具現されることができる。例えば、ＰＤＳＣＨ＿ＯＶＥＲＨＥＡＤパラメータの値‘１（ＯＮ）’は、サービングセルとは異なるセルで割り当てられたＣＲＳリソース、ＳＹＮＣ信号リソース、又はＰＢＣＨリソースがＰＤＳＣＨ信号を受信するリソースに含まれることを示す。他方、ＰＤＳＣＨ＿ＯＶＥＲＨＥＡＤパラメータの値‘０（ＯＦＦ）’は、サービングセルで割り当てられたＣＲＳリソース、ＳＹＮＣ信号リソース、又はＰＢＣＨリソースがＰＤＳＣＨ信号を受信するリソースに含まれることを示す。すなわち、ＰＤＳＣＨ＿ＯＶＥＲＨＥＡＤパラメータの値‘１’は、ＵＥが本発明の第１の実施形態乃至第５の実施形態で説明したＰＤＳＣＨ信号受信方法の中のいずれか１つを使用してＰＤＳＣＨ信号を受信することを示す。他方、ＰＤＳＣＨ＿ＯＶＥＲＨＥＡＤパラメータの値‘０’は、本発明の第１の実施形態乃至第５の実施形態とは異なり、ＵＥがサービングセルを考慮してＰＤＳＣＨ信号を受信することを示す。
【０１５８】
図１４を参照すると、ステップ１４１１において、ＵＥは、ＢＳからＭＳＩを受信する。ステップ１４１３において、ＵＥは、ＰＤＳＣＨ＿ＯＶＥＲＨＥＡＤパラメータをＢＳから受信する。ステップ１４１５において、ＵＥは、ＰＤＳＣＨ＿ＯＶＥＲＨＥＡＤパラメータの値が１（ＰＤＳＣＨ＿ＯＶＥＲＨＥＡＤパラメータ値＝＝１）として設定されるか否かを判定する。この判定の結果、ＰＤＳＣＨ＿ＯＶＥＲＨＥＡＤパラメータの値が１として設定される場合に、ＵＥは、ステップ１４１７において、本発明の第１の実施形態乃至第５の実施形態の中のいずれか１つを参照して上述したように、測定集合に含まれたＣＳＩ−ＲＳリソースを割り当てるセルに対するＭＢＳＦＮ  ＳＣＩ、ＣＲＳリソースの位置、ＳＹＮＣ信号の送信タイミング、及びＰＢＣＨ信号の送信タイミングを使用してＰＤＳＣＨ信号を受信することによりダウンリンクデータを検出する。
【０１５９】
他方、ＰＤＳＣＨ＿ＯＶＥＲＨＥＡＤパラメータの値が１として設定されていない場合に、すなわち、ＰＤＳＣＨ＿ＯＶＥＲＨＥＡＤパラメータの値が０として設定されている場合に、ＵＥは、ステップ１４１９において、ＭＢＳＦＮ  ＳＣＩ、ＣＲＳリソースの位置、ＳＹＮＣ信号の送信タイミング、及びＰＢＣＨ信号の送信タイミングを確認し、関連するＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検知する。
【０１６０】
＜第７の実施形態＞
図１５は、本発明の第７の実施形態によるＣｏＭＰ方式を使用するセルラー無線通信システムにおけるＵＥがＰＤＳＣＨ信号を受信する方法を示すフローチャートである。
図１５の説明に先立って、本発明の第１の実施形態乃至第６の実施形態では、従来技術のＬＴＥ方式を使用するＵＥのシステム情報受信又はページング情報受信を考慮しなかった。しかしながら、本発明の第７の実施形態では、ＵＥが従来技術のＬＴＥ方式を使用するＵＥのためのシステム情報受信又はページング情報受信を考慮してＰＤＳＣＨ信号を受信する。
【０１６１】
本発明の第７の実施形態では、ＢＳがシステム情報又はページング情報を送信する場合に、従来技術のＬＴＥ方式で定義されたサービングセルのＰＤＳＣＨ信号送信方法を使用する。
他方、ＢＳは、本発明の第１の実施形態乃至第６の実施形態で説明したようなサービングセルだけでなくサービングセルとは異なるセルで割り当てられたＣＲＳリソース、ＳＹＮＣ信号リソース、及びＰＢＣＨリソースを考慮してＰＤＳＣＨ信号を送信するリソースを決定する。ＢＳは、システム情報を含むＰＤＳＣＨ信号の送信をスケジューリングするためには、ＬＴＥ移動通信システムで使用しているシステム情報無線ネットワーク一時識別子（system information-radio network temporary identifier：以下、“ＳＩ−ＲＮＴＩ”と称する）を使用して生成されたサイクリックリダンダンシーチェック（cyclic redundancy check：以下、“ＣＲＣ”と称する）を関連するスケジューリング情報に付加することにより関連するＰＤＣＣＨを生成し、ページング情報を含むＰＤＳＣＨ信号の送信をスケジューリングするためには、ＬＴＥ移動通信システムで使用しているページング無線ネットワーク一時識別子（paging-radio network temporary identifier：以下、“Ｐ−ＲＮＴＩ”と称する）を使用して生成されたＣＲＣを使用する。
【０１６２】
図１５を参照すると、ステップ１５１１において、ＵＥは、ＰＤＣＣＨを通してＰＤＳＣＨスケジューリング情報をＢＳから受信する。ステップ１５１３において、ＵＥは、ＢＳがＰＤＣＣＨ送信の間にＳＩ−ＲＮＴＩ又はＰ−ＲＮＴＩに対応するＣＲＣを使用するか否かを判定する。この判定の結果、ＢＳがＰＤＣＣＨ送信の間にＳＩ−ＲＮＴＩ又はＰ−ＲＮＴＩに対応するＣＲＣを使用しない場合には、ＵＥは、ステップ１５１５において、本発明の第１の実施形態乃至第６の実施形態の中のいずれか１つを参照して上述したように、測定集合に含まれたＣＳＩ−ＲＳリソースを割り当てるセルに対するＭＢＳＦＮ  ＳＣＩ、ＣＲＳリソースの位置、ＳＹＮＣ信号の送信タイミング、及びＰＢＣＨ信号の送信タイミングを使用してＰＤＳＣＨ信号を受信することによりダウンリンクデータを検出する。
【０１６３】
他方、この判定の結果、ＢＳがＰＤＣＣＨ送信の間にＳＩ−ＲＮＴＩ又はＰ−ＲＮＴＩに対応するＣＲＣを使用する場合には、ステップ１５１７において、ＵＥは、サービングセルのＭＢＳＦＮ  ＳＣＩ、ＣＲＳリソースの位置、ＳＹＮＣ信号の送信タイミング、及びＰＢＣＨ信号の送信タイミングを確認し、関連するＣＲＳリソース、ＳＹＮＣ信号リソース、ＰＢＣＨリソース、ＣＳＩ−ＲＳリソース、及びＤＭ−ＲＳリソースを除外したリソースを通してＰＤＳＣＨ信号を受信することによりダウンリンクデータを検出する。
【０１６４】
＜第８の実施形態＞
本発明の第８の実施形態において、ＵＥは、ＰＤＣＣＨを通して送信された動的スケジューリング情報に含まれている特定のＤＣＩフォーマットを解釈することにより現在のＰＤＳＣＨリソースマッピング方式を検出し、この検出されたＰＤＳＣＨリソースマッピング方式に基づいてＰＤＳＣＨ信号を受信することによりダウンリンクデータを検出する。このとき、特定のＤＣＩフォーマットは、下記のような３つのＣｏＭＰ方式関連スケジューリング情報の中の少なくとも１つをＰＤＳＣＨリソースマッピング方式とともに通知できる。
ＰＤＳＣＨ信号受信のためのＤＭ−ＲＳシーケンス情報
ＰＤＳＣＨ信号受信を開始しなければならないＯＦＤＭシンボル位置（又は制御チャネル（例えば、ＰＤＣＣＨ）信号送信のために使用されるＯＦＤＭシンボルの個数）
ＰＤＳＣＨ信号が送信されるセルとＣＳＩ−ＲＳとの間の関係
【０１６５】
３つのＣｏＭＰ方式関連スケジューリング情報及びＰＤＳＣＨリソースマッピング方式は、ＰＤＳＣＨ信号が送信されるセルに対応して変更され得る。したがって、３つのＣｏＭＰ方式関連スケジューリング情報及びＰＤＳＣＨリソースマッピング方式は、同一のＤＣＩフォーマットを通して同時に伝達される。
【０１６６】
ＬＴＥ移動通信システムにおいて、ＤＭ−ＲＳシーケンス情報は、ｎＳＣＩＤ値に従って動的に決定され、ｎＳＣＩＤ値が‘０’又は‘１’として設定される場合に、関連するＰＤＳＣＨ信号を受信するためにＲＲＣメッセージにより構成された２つのシーケンスの中の１つは、ＤＭ−ＲＳシーケンスとして適用される。例えば、ｎＳＣＩＤ値は、３ビットで具現されたＤＣＩフォーマットを通して決定され、したがって、８つの状態が表４で定義されるように可能である。すなわち、ＵＥは、２種類のＤＭ−ＲＳシーケンスを使用することができ、特定のＰＤＳＣＨ信号が送信される場合には１つの符号語が送信され、関連するＤＣＩフォーマットが第１の状態及び第３の状態を示す場合には、２つの符号語が送信され、関連するＤＣＩフォーマットが第１の状態を示す場合には、ｎＳＣＩＤ値‘１’に対応するＤＭ−ＲＳシーケンスが使用され、関連するＤＣＩフォーマットが他の状態を示す場合には、ｎＳＣＩＤ値‘０’に対応するＤＭ−ＲＳシーケンスが使用される。
【０１６７】
【表４】
2015503881.tif 000007
【０１６８】
表５において、ｎＳＣＩＤ値に従うＢＳ及びＵＥのＤＭ−ＲＳシーケンス構成方式を示す。
【０１６９】
【表５】
2015503881.tif 000008
【０１７０】
また、ＰＤＳＣＨ信号を受信するセルが動的に変わるＤＳ方式及びＪＴ方式を考慮する際に、ＵＥは、使用可能なＰＤＳＣＨリソースを確認するために次のようなパラメータを通して各セルに対するＣＲＳリソース位置を確認することができる。このパラメータは、ｖｓｈｉｆｔ（＝ＰＣＩＤ  ｍｏｄ  ６）又は物理Ｃｅｌｌ−ＩＤ（ＰＣＩＤ）と、ＭＢＳＦＮ  ＳＣＩと、ＣＲＳアンテナポートの個数とを含む。
【０１７１】
したがって、ＢＳは、ＰＤＳＣＨ信号受信のためのＤＭ−ＲＳシーケンス構成情報と各セルに対するＣＲＳリソースの位置に従って割り当て可能なＰＤＳＣＨリソースの位置に関する情報とをＵＥに同時に送信することにより、以下に述べられる表６のように、ＵＥは、ｎＳＣＩＤ値に従ってＤＭ−ＲＳシーケンス構成情報及びＰＤＳＣＨリソースの位置を動的に確認できる。すなわち、ｎＳＣＩＤ値が‘０’として設定される場合に、ＵＥは、ＲＲＣメッセージにより構成された１番目のＤＭ−ＲＳシーケンスを設定し、ＲＲＣメッセージにより構成された１番目のＣＲＳリソースに関する位置情報を検出することにより関連するＣＲＳリソース以外のリソースを通してＰＤＳＣＨ信号が送信されることを検出する。
ｎＳＣＩＤ値が‘１’として設定される場合に、ＵＥは、ＲＲＣメッセージにより構成された２番目のＤＭ−ＲＳシーケンス構成情報及びＣＲＳリソース位置構成情報を検出する。
【０１７２】
【表６】
2015503881.tif 000009
【０１７３】
ＣｏＭＰ方式を使用するセルラー無線通信システムにおいて、ＵＥが２個以上のセルからＰＤＳＣＨ信号を受信することを可能にするために、ＢＳは、２つのタイプのＣＲＳリソース位置構成情報だけではなく追加のＣＲＳリソース位置構成情報をＵＥに通知しなければならず、したがって、ＢＳは、以下に述べられる表７に示すように、ｎＳＣＩＤ値だけではなく追加のビットの使用を考慮できる。すなわち、ＤＭ−ＲＳシーケンス構成は、ｎＳＣＩＤ値を使用して通知され、ＵＥは、追加の１ビットを用いて４種類のＣＲＳリソース位置構成情報の中の１つを検出できる。以下に述べられる表７に示すようなＤＭ−ＲＳシーケンス構成情報及びＣＲＳリソース位置構成情報を使用する場合に、ＢＳは、表６に比べて、３つ以上のレイヤーを使用してＰＤＳＣＨ信号を送信する場合にも、ＰＤＳＣＨリソースの変化をＵＥに通知できる。
【０１７４】
【表７】
2015503881.tif 000010
【０１７５】
一方、使用可能なＰＤＳＣＨリソースは、ＣＲＳリソース位置だけではなくＰＤＣＣＨ信号送信のために使用されるＯＦＤＭシンボルの個数により影響を受ける。ＬＴＥ移動通信システムにおいて、１つのサブフレーム内で１番目乃至３番目のＯＦＤＭシンボルは、ＰＤＣＣＨ送信のために使用されることができ、使用されたＯＦＤＭシンボルの個数は、物理制御フォーマット指示チャネル（Physical Control Format Indication Channel：以下、“ＰＣＦＩＣＨ”と称する）を通してＵＥに送信されることができる。ＰＤＣＣＨ送信のために使用されたＯＦＤＭシンボルの個数は、セル別に異なり得るので、ＵＥは、アクセスしたセル、すなわち、サービングセルのＰＣＦＩＣＨを確認することができる。しかしながら、隣接セルのＰＣＦＩＣＨを確認することは難しい。 
【０１７６】
したがって、ＤＳ方式又はＪＴ方式を使用するＵＥは、ＰＤＳＣＨ信号を受信するセルに対応してＰＤＳＣＨ信号送信のために使用されるＯＦＤＭシンボルの開始位置を調整しなければならない。この場合に、ＯＦＤＭシンボルの開始位置をＵＥに送信するために使用されるＲＲＣメッセージは、次のような４つの情報のうちの１つを含み、ＵＥは、次のような４つの情報の中の１つを用いてＯＦＤＭシンボルの開始位置を設定できる。４つの情報は、
情報１：ＵＥがアクセスしたセルで使用された、ＰＤＳＣＨ信号送信が開始されるＯＦＤＭシンボルの位置
情報２：２番目のＯＦＤＭシンボル
情報３：３番目のＯＦＤＭシンボル
情報４：４番目のＯＦＤＭシンボル
を含む。
【０１７７】
ＲＲＣメッセージが情報１を含む場合には、ＵＥは、ＰＣＦＩＣＨを検出するか又はキャリアアグリゲーション（carrier aggregation：以下、“ＣＡ”と称する）方式のために他のＲＲＣメッセージを使用して設定されたＰＤＳＣＨ信号送信開始位置情報に対応してＰＤＳＣＨ信号を受信することができる。
ＲＲＣメッセージが情報２乃至情報４の中の１つを含む場合には、ＵＥは、ＰＣＦＩＣＨを検出するか又はＣＡ方式のために他のＲＲＣメッセージを使用して設定されたＰＤＳＣＨ信号送信開始位置情報を無視し、ＲＲＣメッセージに対応してＰＤＳＣＨ信号を受信することができる。
【０１７８】
ＰＤＳＣＨ信号送信開始位置を示すＰＤＳＣＨ信号送信開始位置構成情報が表６に示すようなＤＭ−ＲＳシーケンス構成情報及びＣＲＳリソース位置構成情報に付加される場合に、ＵＥは、表８で表現されるようなｎＳＣＩＤ値に従うＤＭ−ＲＳシーケンス構成情報及びＰＤＳＣＨ送信のために使用可能なリソースを確認することができる。すなわち、ｎＳＣＩＤ値が‘０’として設定される場合に、ＵＥは、ＲＲＣメッセージにより構成された１番目のＤＭ−ＲＳシーケンス構成情報、１番目のＣＲＳリソース位置構成情報、及び１番目のＰＤＳＣＨ信号送信開始位置情報に従ってＤＭ−ＲＳシーケンス構成情報及びＰＤＳＣＨリソース構成情報を検出できる。
【０１７９】
ｎＳＣＩＤ値が‘１’として設定される場合に、ＵＥは、ＲＲＣメッセージにより構成された２番目のＤＭ−ＲＳシーケンス構成情報、２番目のＣＲＳリソース位置構成情報、及び２番目のＰＤＳＣＨ信号送信開始位置情報に従ってＤＭ−ＲＳシーケンス構成及びＰＤＳＣＨリソース構成情報を検出できる。
【０１８０】
【表８】
2015503881.tif 000011
【０１８１】
ＰＤＳＣＨ信号送信開始位置構成情報が表７に示すようなＤＭ−ＲＳシーケンス構成情報及びＣＲＳリソース位置構成情報に付加される場合に、ＵＥは、表９に示すように、ｎＳＣＩＤ値及び追加の１ビットに従ってＤＭ−ＲＳシーケンス構成情報及びＰＤＳＣＨ信号送信開始情報を検出できる。
【０１８２】
【表９】
2015503881.tif 000012
【０１８３】
上述したように、ＰＤＳＣＨ信号が送信されるセルとＣＳＩ−ＲＳとの関係がＤＭ−ＲＳシーケンス構成情報、ＣＲＳリソース位置構成情報、及びＰＤＳＣＨ送信開始位置構成情報とともにＵＥに伝達されることもできる。ＵＥがＰＤＳＣＨ信号が送信されるセルとＣＳＩ−ＲＳとの関係を分かる場合には、ＤＭ−ＲＳチャネル推定性能は、ＰＤＳＣＨ信号検出のためのＤＭ−ＲＳチャネルを推定する際に、特定のＣＳＩ−ＲＳを通して推定されたチャネル情報を使用して改善することができる。
【０１８４】
ここで、ＰＤＳＣＨ信号が送信されるセルとＣＳＩ−ＲＳとの間の関係を示すパラメータは、ＲＲＣメッセージを通して送信され、次のような４つのパラメータの中の１つを含むことができる。この４つのパラメータは、次のようである。
パラメータ１：ＰＤＳＣＨ信号は、測定集合に含まれたＣＳＩ−ＲＳリソースの中で１番目のＣＳＩ−ＲＳリソースを通して送信される。
パラメータ２：測定集合に含まれたＣＳＩ−ＲＳリソースの中で２番目のＣＳＩ−ＲＳリソースを通して送信される。
パラメータ３：測定集合に含まれたＣＳＩ−ＲＳリソースの中で３番目のＣＳＩ−ＲＳリソースを通して送信される。
パラメータ４：ＰＤＳＣＨ信号は、測定集合内に含まれたＣＳＩ−ＲＳリソースを通しても送信されない。
【０１８５】
すなわち、ＰＤＳＣＨ信号が送信されるセルとＣＳＩ−ＲＳとの間の関係を示すパラメータがパラメータ１乃至パラメータ３の中の１つとして設定される場合に、ＵＥは、測定集合に含まれた１番目のＣＳＩ−ＲＳリソース乃至３番目のＣＳＩ−ＲＳリソースの中の１つを通してＰＤＳＣＨ信号が送信されることを検出し、関連するＣＳＩ−ＲＳから取得されたチャネル情報を使用してＤＭ−ＲＳチャネルを推定した後にＰＤＳＣＨ信号を検出する。ここで、ＰＤＳＣＨ信号が送信されるセルとＣＳＩ−ＲＳとの間の関係を示すパラメータは、ＲＲＣメッセージを用いて送信される。ＰＤＳＣＨ信号が送信されるセルとＣＳＩ−ＲＳとの間の関係を示すパラメータを含むＲＲＣメッセージは、新たなＲＲＣメッセージ又は従来技術のＲＲＣメッセージとして具現されることができる。ＰＤＳＣＨ信号が送信されるセルとＣＳＩ−ＲＳとの関係を示すパラメータを含むＲＲＣメッセージについての詳細な説明を省略する。
【０１８６】
ＰＤＳＣＨ信号が送信されるセルとＣＳＩ−ＲＳとの関係を示すパラメータがパラメータ４として設定される場合に、ＵＥは、ＤＭ−ＲＳチャネルの推定のためにＣＳＩ−ＲＳから取得されたチャネル情報を使用しない。
ＰＤＳＣＨ信号が送信されるセルとＣＳＩ−ＲＳとの関係を示す情報が表８に示すようなＤＭ−ＲＳシーケンス構成情報、ＣＲＳリソース位置構成情報、及びＰＤＳＣＨ送信開始位置（ＯＦＤＭシンボル位置）構成情報に付加される場合に、ＵＥは、以下に述べられる表１０に示すように、ｎＳＣＩＤに従うＤＭ−ＲＳシーケンス構成情報、ＰＤＳＣＨ信号送信のために使用可能なリソース、及びＤＭ−ＲＳとＣＳＩ−ＲＳとの関係を示す情報を検出できる。
【０１８７】
ｎＳＣＩＤ値が０として設定される場合に、ＵＥは、ＲＲＣメッセージにより構成された１番目のＤＭ−ＲＳシーケンス構成情報、１番目のＣＲＳリソース位置構成情報、１番目のＰＤＣＣＨリソース情報、及びＤＭ−ＲＳとＣＳＩ−ＲＳとの間の１番目の関係情報に従ってＤＭ−ＲＳシーケンス構成情報、ＰＤＳＣＨリソース構成情報、及びＤＭ−ＲＳチャネル推定情報を検出する。
他方、ｎＳＣＩＤ値が１として設定される場合に、ＵＥは、ＲＲＣメッセージにより構成された２番目のＤＭ−ＲＳシーケンス構成情報、２番目のＣＲＳリソース位置構成情報、２番目のＰＤＣＣＨリソース情報、及びＤＭ−ＲＳとＣＳＩ−ＲＳとの２番目の関係情報に従ってＤＭ−ＲＳシーケンス構成情報、ＰＤＳＣＨリソース構成情報、及びＤＭ−ＲＳチャネル推定情報を検出する。表１０において、ＤＭ−ＲＳとＣＳＩ−ＲＳとの間の関係情報は、ＰＤＳＣＨ信号送信とＣＳＩ−ＲＳとの間の関係情報に変更され得る。
【０１８８】
【表１０】
2015503881.tif 000013
【０１８９】
ＰＤＣＣＨリソースのための情報が表９に示すようなＤＭ−ＲＳシーケンス構成情報、ＣＲＳリソース位置構成情報、及びＰＤＳＣＨ送信開始位置（ＯＦＤＭシンボル位置）構成情報に付加される場合に、ＵＥは、表１１に示すように、ｎＳＣＩＤ及び追加１ビットを使用してＤＭ−ＲＳシーケンス構成情報、ＰＤＳＣＨ送信のために使用可能なリソース、及びＤＭ−ＲＳとＣＳＩ−ＲＳとの間の関係を示す情報を検出できる。
【０１９０】
【表１１】
2015503881.tif 000014
【０１９１】
表１１において、ＤＭ−ＲＳとＣＳＩ−ＲＳとの間の関係情報は、ＰＤＳＣＨ信号送信とＣＳＩ−ＲＳとの間の関係情報に変更され得る。表６乃至表１１において、ＤＭ−ＲＳシーケンス構成情報、ＰＤＳＣＨ信号送信のために使用可能なリソース、及びＤＭ−ＲＳとＣＳＩ−ＲＳとの関係を示す情報を設定するＤＣＩフォーマットの各ビット状態がＲＲＣメッセージにより構成された情報に対応して決定される。しかしながら、特定のビット状態がＲＲＣメッセージにより構成されることなしに特定の情報に固定されることは、本発明の技術分野における通常の知識を持つ者には明らかであろう。
【０１９２】
例えば、表１１の最後の状態‘１１’において、ＤＭ−ＲＳシーケンス構成情報を除外した他の情報は、ＲＲＣメッセージにより構成されず、以下に述べられる表１２のように構成される。本実施形態において、状態‘１１’を除外した状態は、表１２のように設定される。表１２におけるすべての情報の中の一部は、ＤＣＩフォーマットを用いてＵＥに伝達される。この場合に、ＤＣＩフォーマットを用いて伝達された対応する情報を含む例は、表１２から削除される。
【０１９３】
【表１２】
2015503881.tif 000015
【０１９４】
＜第９の実施形態／第１０の実施形態／第１１の実施形態＞
ＬＴＥ移動通信システムにおいて、システム情報及びページング情報は、ＵＥ能力に関係なくセルですべてのＵＥに送信される。すなわち、システム情報及びページング情報は、Ｒｅｌｅａｓｅ  １１  ＵＥだけでなく、Ｒｅｌｅａｓｅ８／９／１０  ＵＥに送信される。
したがって、ページング情報及びシステム情報に対するＰＤＳＣＨ  ＲＥマッピングは、サービングセルのＰＤＳＣＨ  ＲＥマッピングと同一のＰＤＳＣＨ  ＲＥマッピングを使用しなければならない。ＵＥがシステム情報又はページング情報とともにスケジューリングされる場合に、スケジューリングに対するＰＤＣＣＨは、それぞれＳＩ−ＲＮＴＩ又はＰ−ＲＮＴＩのＣＲＣを使用する。
したがって、ＵＥは、Ｐ−ＲＮＴＩ又はＳＩ−ＲＮＴＩを使用してＰＤＣＣＨを検出する場合に、サービングセルのＰＤＳＣＨ  ＲＥマッピングを使用する。他方、ＵＥは、Ｐ−ＲＮＴＩ又はＳＩ−ＲＮＴＩでないＲＮＴＩを使用してＰＤＣＣＨを検出する場合に、ＵＥは、表１３又は表１４に関連して説明される方法で以下に述べられるような新たなＰＤＳＣＨ  ＲＥマッピングの中の少なくとも１つを使用することができる。
【０１９５】
表１３及び表１４について説明すると、次のようである。
ＬＴＥ  Ｒｅｌｅａｓｅ  １０において、ｎＳＣＩＤは、１個のレイヤー又は２個のレイヤーのＰＤＳＣＨ送信とともにスケジューリングされる場合のみに対して０と１との間でスイッチングされる。ＵＥが２個より多いレイヤーのＰＤＳＣＨ送信とともに構成される場合に、ｎＳＣＩＤは、０に固定される。したがって、下記の表１５又は表１６が使用される場合に、ＰＤＳＣＨ  ＲＥマッピングは、ＵＥが２個より多いレイヤーのＰＤＳＣＨ送信とともにスケジューリングされる場合に、２個の候補の間でスイッチングされることができない。したがって、表１３におけるように、２個より多いレイヤーのＰＤＳＣＨ送信でダイナミックポイント選択（ＤＰＳ）方式及びＪＴ方式をサポートするＰＤＳＣＨ  ＲＥマッピングを可能にする追加の特徴が適用されることができる。ここで、ＤＰＳ方式は、ＤＳ方式と同一である。
【０１９６】
【表１３】
2015503881.tif 000016
【０１９７】
表１３において、スケジューリングされるレイヤーの個数に対するＰＤＳＣＨ  ＲＥマッピングが表現される。
表１３に対して、ＵＥが１個又は２個のレイヤーのＰＤＳＣＨ送信とともに構成される場合に、ＵＥは、ｎＳＣＩＤの値に基づく表１５（又は表１６）に示すようなＰＤＳＣＨ  ＲＥマッピングを仮定することができる。他方、ＵＥが２個より多いレイヤーのＰＤＳＣＨ送信とともに構成される場合に、ＵＥは、すべてのＣｏＭＰセルの中でＪＴ方式に対するＰＤＳＣＨ  ＲＥマッピングを仮定できる。表１３に対するもう１つの方式として、第２の行及び第２の列のエントリー（entry）は、表１４のような、上位レイヤーシグナリングにより構成されるセルの集合の中でＪＴ方式に対するＰＤＳＣＨ  ＲＥマッピングに置き換えられることができる。この場合に、２個より多いレイヤーのＰＤＳＣＨ  ＲＥマッピングを示すための追加のＲＲＣシグナリングが導入されなければならない。
【０１９８】
しかしながら、表１３及び表１４において、ＰＤＳＣＨ  ＲＥマッピングは、ＰＤＳＣＨ送信のレイヤーの個数が“１個又は２個”、あるいは“２個を超過”するか否かにより決定され、本発明は、このような場合に限定されないことはもちろんである。すなわち、ＰＤＳＣＨ  ＲＥマッピングのスイッチングポイントは、任意の個数のレイヤーであり得る。例えば、ＰＤＳＣＨ  ＲＥマッピングは、ＰＤＳＣＨ送信のレイヤーの個数が“１個”又は“１個を超過”するか否かにより決定されることができる。この例の設計仮定は、ＣｏＭＰ  ＵＥに対する１個のレイヤーを超過するＰＤＳＣＨ送信がＪＴ方式が適用される場合のみに発生することができる。
【０１９９】
【表１４】
2015503881.tif 000017
【０２００】
表１４において、スケジューリングされるレイヤーの個数に対するＰＤＳＣＨ  ＲＥマッピングが表現される。
表１５及び表１６について説明すると、次のようである。
ＰＤＳＣＨ  ＲＥマッピングの指示は、ＤＭ−ＲＳスクランブリング指示に関連する。ＤＭ−ＲＳスクランブリングとＰＤＳＣＨ  ＲＥマッピングとの間のジョイント指示（joint indication）に対する理由は、ＤＭ−ＲＳスクランブリング及びＰＤＳＣＨ  ＲＥマッピングのすべての決定がどの送信ポイント（ＴＰ）がＰＤＳＣＨ送信のために使用されるかに関連する。
【０２０１】
１つの例において、ＰＤＳＣＨ  ＲＥマッピングの指示は、表１５又は表１６のように表１７又は表１８の各々に関連することができる。ここで、Ｃｉは、セルを示し、ＲＥ＿マッピング（Ｃ１，Ｃ２，．．．，ＣＫ）は、セルＣ１，Ｃ２，．．．，ＣＫ（ただし、Ｋ≧１である）の中でＪＴ方式に対するＰＤＳＣＨ  ＲＥマッピングを示す。ここで、Ｋ＝１である場合に、ＲＥ＿マッピング（Ｃ１）は、セルＣ１に対するＰＤＳＣＨ  ＲＥマッピングを示す。
【０２０２】
複数のセルの中でＪＴ方式に対するＰＤＳＣＨ  ＲＥマッピングの仮定の下で、ＵＥがＰＤＳＣＨ信号をデコーディングする２つの方式が存在する。１番目の方式は、ｅＮＢが図１６に示すようにＪＴ方式に対する複数のセルに対するＣＲＳ位置をスキップする順にデータビットをＲＥにマッピングするという仮定の下で、ＵＥがＰＤＳＣＨ信号をデコーディングするレート−マッチング方法である。他方、２番目の方式は、ｅＮＢがサービングセルの順にデータビットをＲＥにマッピングするが、図１７に示すように、ＪＴ方式に対する複数のセルに対するＣＲＳ位置をパンクチャーリングするという仮定の下で、ＵＥがＰＤＳＣＨ信号をデコーディングするパンクチャーリング方法である。
ＵＥがセルＣｉに対するＰＤＳＣＨ  ＲＥマッピングを決定するために、ｅＮＢは、次のようなパラメータの中の少なくとも１つをＵＥにシグナリングしなければならないという点に留意すべきである。
ａ．Ｃｉの物理Ｃｅｌｌ−ＩＤ（又はＣｅｌｌ−ＩＤ  ｍｏｄ  ６）
ｂ．ＣｉのＭＢＳＦＮ  ＳＣＩ
ｃ．ＣｉのＣＲＳポートの個数
ｄ．基準（サービング／基本）セルからのＣｉのサブフレームオフセット値
ｅ．制御領域に対して仮定するＯＦＤＭシンボルの個数
【０２０３】
すなわち、表１５が使用される場合に、（Ｄ１，Ｘ１，ＲＥ＿マッピング（Ｃ１，Ｃ２，．．．，ＣＫ））及び（Ｄ２，Ｘ２，ＲＥ＿マッピング（ＣＫ＋１，ＣＫ＋２，．．．，ＣＫ＋Ｌ））の２個の集合が上位レイヤーシグナリングによりＵＥに対して構成された後に、ＵＥは、ＤＣＩで導出されたｎＳＣＩＤを使用してＰＤＳＣＨ送信のためにスケジューリングされた１つのサブフレームで２つの集合の中の１つを決定できる。
他方、表１６が使用される場合に、（Ｘ１，ＲＥ＿マッピング（Ｃ１，Ｃ２，．．．，ＣＫ））及び（Ｘ２，ＲＥ＿マッピング（ＣＫ＋１，ＣＫ＋２，．．．，ＣＫ＋Ｌ））の２個の対が上位レイヤーシグナリングによりＵＥに対して構成された後に、ＵＥは、ＤＣＩで導出されたｎＳＣＩＤを使用してＰＤＳＣＨ送信のためにスケジューリングされた１つのサブフレームで２つの対の中の１つを決定できる。
【０２０４】
もう１つの方式として、表１５及び表１６の最後の列は、最後の列に対するＲＲＣシグナリングなしに固定されたＰＤＳＣＨ  ＲＥマッピング方法を含むことができ、したがって、“ｎＳＣＩＤ＝０”は、サービングセルのＰＤＳＣＨ  ＲＥマッピングを示し、“ｎＳＣＩＤ＝１”は、隣接セルのＰＤＳＣＨ  ＲＥマッピングを示す。また、これとは反対に、“ｎＳＣＩＤ＝１”は、サービングセルのＰＤＳＣＨ  ＲＥマッピングを示し、“ｎＳＣＩＤ＝０”は、隣接セルのＰＤＳＣＨ  ＲＥマッピングを示す。
【０２０５】
【表１５】
2015503881.tif 000018
【０２０６】
表１５において、
【数２】
2015503881.tif 000019
、
【数３】
2015503881.tif 000020
、及びｎＳＣＩＤに対するＰＤＳＣＨ  ＲＥマッピング（Ｋ≧１，Ｌ≧１）が表現されている。
【０２０７】
【表１６】
2015503881.tif 000021
【０２０８】
表１６において、
【数４】
2015503881.tif 000022
及びｎＳＣＩＤに対するＰＤＳＣＨ  ＲＥマッピング（Ｋ≧１，Ｌ≧１）が表現されている。
表１７及び表１８について説明すると、次のようである。
まず、ＤＭ−ＲＳスクランブリングシーケンスの動的適応を実現するための方式において、下記数式２のようなＤＭ−ＲＳランダムシーケンスの初期値がＵＥに対して使用される。
【０２０９】
【数５】
2015503881.tif 000023
【０２１０】
ここで、ｎＳＣＩＤは、ＬＴＥ  Ｒｅｌｅａｓｅ１０のように０と１との間のＤＣＩにより動的に決定される。数式２において、他のパラメータ
【数６】
2015503881.tif 000024
は、
【数７】
2015503881.tif 000025
により与えられ、ここで、ｎｓは、ＵＥのサービング（又は基本）セルのスロット番号であり、
【数８】
2015503881.tif 000026
は、［０，９］又は［−４，５］のようなサイズ１０の範囲内のｎＳＣＩＤに基づくサブフレームオフセット値である。
パラメータ
【数９】
2015503881.tif 000027
及び
【数１０】
2015503881.tif 000028
を決定する１つの方式は、表１７を使用するものであり、Ｄ１、Ｘ１、Ｄ２、及びＸ２は、上位レイヤーによりシグナリングされる。すなわち、（Ｄ１，Ｘ１）及び（Ｄ２，Ｘ２）の２つの対が上位レイヤーシグナリングによりＵＥに構成された後に、ＵＥは、ＤＣＩで抽出されたｎＳＣＩＤを使用することによりＰＤＳＣＨ送信のためにスケジューリングされる１個のサブフレームで２つの対の中の１つを決定できる。
【０２１１】
【表１７】
2015503881.tif 000029
【０２１２】
表１７において、ｎＳＣＩＤに対する
【数１１】
2015503881.tif 000030
及び
【数１２】
2015503881.tif 000031
が表現される。パラメータ
【数１３】
2015503881.tif 000032
及び
【数１４】
2015503881.tif 000033
を決定するもう１つの方式において、
【数１５】
2015503881.tif 000034
は、表１８により決定され、ここで、Ｘ１及びＸ２は、上位レイヤーによりシグナリングされ、
【数１６】
2015503881.tif 000035
は、次のように決定される。
【０２１３】
ａ．
【数１７】
2015503881.tif 000036
である場合に、ＵＥは、Ｃｅｌｌ−ｉのスロット番号を使用する。
ｂ．すべてのiに対して、
【数１８】
2015503881.tif 000037
である場合に、スロット番号は、デフォルト値（例えば、
【数１９】
2015503881.tif 000038
）に設定される。
ここで、
【数２０】
2015503881.tif 000039
は、ＵＥが少なくても１回基準信号受信電力（ＲＳＲＰ）を報告したセルであるＣｅｌｌ−１、Ｃｅｌｌ−２、．．．、Ｃｅｌｌ−ＭのＣｅｌｌ−ＩＤであり、又はｅＮＢによりシグナリングされる物理Ｃｅｌｌ−ＩＤのリストに含まれているＣｅｌｌ−ＩＤである。
【０２１４】
【表１８】
2015503881.tif 000040
【０２１５】
表１８において、ｎＳＣＩＤに対する
【数２１】
2015503881.tif 000041
が表現されている。
図１６は、本発明の第９の実施形態によるＣｏＭＰ方式を使用するセルラー無線通信システムにおけるＵＥがＰＤＳＣＨ信号を受信する方法を示すフローチャートである。
図１６を参照すると、ＵＥは、ステップ１６１１において、ＰＤＳＣＨスケジューリングに対するＰＤＣＣＨ信号を受信する。ＵＥは、ステップ１６１３において、ＳＩ−ＲＮＴＩ又はＰ−ＲＮＴＩがＰＤＣＣＨ信号に対して使用されたか否かを判定する。この判定の結果、ＳＩ−ＲＮＴＩ又はＰ−ＲＮＴＩがＰＤＣＣＨ信号に対して使用されなかった場合には、ＵＥは、ステップ１６１５において、表１３又は表１４を使用する新たなＰＤＳＣＨ  ＲＥマッピングを選択する。
他方、ＳＩ−ＲＮＴＩ又はＰ−ＲＮＴＩがＰＤＣＣＨ信号に対して使用された場合には、ＵＥは、ステップ１６１７において、サービングセルのレガシーＰＤＳＣＨ  ＲＥマッピングを選択する。
ＵＥは、ステップ１６１９において、この選択されたＰＤＳＣＨ  ＲＥマッピングに基づいてＰＤＳＣＨ信号を受信する。
【０２１６】
ＣｏＭＰ送信モード（ＬＴＥ  Ｒｅｌａｅａｓｅ  １０の送信モード９に対応する）において、ＵＥは、ＰＤＣＣＨ（又はｅＰＤＣＣＨ）で次のようなＤＣＩフォーマットとＲＮＴＩとの組み合せの中の１つによりスケジューリングされることができる。
ａ．ＤＣＩフォーマット２Ｃ及びＣ−ＲＮＴＩ
ｂ．ＤＣＩフォーマット２Ｃ及びＳＰＳ  Ｃ−ＲＮＴＩ
ｃ．ＤＣＩフォーマット１Ａ及びＣ−ＲＮＴＩ
ｄ．ＤＣＩフォーマット１Ａ及びＳＰＳ  Ｃ−ＲＮＴＩ
ｅ．ＤＣＩフォーマット１Ａ及びＰ−ＲＮＴＩ
ｆ．ＤＣＩフォーマット１Ａ及びＳＩ−ＲＮＴＩ
ｇ．ＤＣＩフォーマット１Ａ及びＲＡ−ＲＮＴＩ
ｈ．ＤＣＩフォーマット１Ｃ及びＰ−ＲＮＴＩ
ｉ．ＤＣＩフォーマット１Ｃ及びＳＩ−ＲＮＴＩ
ｊ．ＤＣＩフォーマット１Ｃ及びＲＡ−ＲＮＴＩ
ここで、Ｃ−ＲＮＴＩは、セルＲＮＴＩであり、ＳＰＳ−Ｃ−ＲＮＴＩは、セミパーシステントスケジューリング（Semi-Persistent Scheduling）Ｃ−ＲＮＴＩであり、ＲＡ−ＲＮＴＩは、ランダムアクセスＲＮＴＩである。
【０２１７】
上記のような組み合せに対して、ＤＣＩフォーマット２Ｃは、ＤＭ−ＲＳに基づく８レイヤーまでのＰＤＳＣＨスケジューリングのために使用され、可能な動的ＣｏＭＰ動作を実現する指示フィールドを含む。ＤＣＩフォーマット１Ａは、小さな指示フィールドを有するコンパクトＰＤＳＣＨスケジューリングに対して使用される。
ＤＣＩフォーマット１Ｃは、非常に小さなＰＤＳＣＨスケジューリングに対して使用され、ページング情報及びシステム情報に対するスケジューリング又はランダムアクセス手順に専用で使用される。追加で、Ｃ−ＲＮＴＩは、データスケジューリングのために使用され、ＳＰＳ  Ｃ−ＲＮＴＩは、データのセミパーシステントスケジューリングのために使用される。Ｐ−ＲＮＴＩ、ＳＩ−ＲＮＴＩ、及びＲＡ−ＲＮＴＩは、それぞれページング情報、システム情報、及びランダムアクセスメッセージのスケジューリングのために存在する。
【０２１８】
任意のＵＥに対して、データは、ＵＥに専用され、したがって、データは、ＤＰＳ方式又はＪＴ方式を使用して送信されることができる。これに反して、ページング情報及びシステム情報は、Ｒｅｌｅａｓｅ  １１  ＵＥだけではなく、Ｒｅｌｅａｓｅ  ８／９／１０  ＵＥを含む複数のＵＥに対するブロードキャスト情報である。
ランダムアクセスメッセージは、ＵＥに対するＳＹＮＣの損失を含む様々な場合のために使用される。ＤＣＩフォーマット及びＲＮＴＩの使用に対する説明に基づいて、ＣｏＭＰ送信モードにおいて、ＤＣＩフォーマットとＲＮＴＩとの各組み合せに対するＰＤＳＣＨ  ＲＥマッピングに対するＵＥ仮定は、表１９のように定義されることができる。
【０２１９】
【表１９】
2015503881.tif 000042
【０２２０】
表１９において、ＣｏＭＰに対する新たなＲＥマッピングは、上述したようなＣｏＭＰに対するＰＤＳＣＨ  ＲＥマッピング方式の中の少なくとも１つを意味する。サービングセルに対するレガシーＲＥマッピングは、ＬＴＥ  Ｒｅｌｅａｓｅ  １０標準に定義されている各場合のＰＤＳＣＨ  ＲＥマッピング方法を示す。
表１９に示すようなＰＤＳＣＨ  ＲＥマッピングに対するＵＥ仮定が使用される場合に、新たなＲＥマッピングとレガシーＲＥマッピングとの間のスイッチングは、ＲＮＴＩに基づくことができる。すなわち、Ｃ−ＲＮＴＩ又はＳＰＳ  ＲＮＴＩがＣｏＭＰ  ＵＥのスケジューリングのために使用される場合には、新たなＰＤＳＣＨ  ＲＥマッピングが適用され、これとは異なり、Ｐ−ＲＮＴＩ、ＳＩ−ＲＮＴＩ、又はＲＡ−ＲＮＴＩがスケジューリングのために使用される場合には、レガシーＰＤＳＣＨ  ＲＥマッピングが使用される。
【０２２１】
図１７は、本発明の第１０の実施形態によるＣｏＭＰ方式を使用するセルラー無線通信システムにおけるＵＥがＰＤＳＣＨ信号を受信する方法を示すフローチャートである。
図１７を参照すると、ＵＥは、ステップ１７１１において、ＰＤＳＣＨスケジューリングに対するＰＤＣＣＨ信号を受信する。ＵＥは、ステップ１７１３において、Ｃ−ＲＮＴＩ又はＳＰＳ  Ｃ−ＲＮＴＩがＰＤＣＣＨ信号に対して使用されたか否かを判定する。この判定の結果、Ｃ−ＲＮＴＩ又はＳＰＳ  Ｃ−ＲＮＴＩがＰＤＣＣＨ信号に対して使用された場合に、ＵＥは、ステップ１７１５において、表１９を使用する新たなＰＤＳＣＨ  ＲＥマッピングを選択する。
他方、Ｃ−ＲＮＴＩ又はＳＰＳ  Ｃ−ＲＮＴＩがＰＤＣＣＨ信号に対して使用されなかった場合に、ＵＥは、ステップ１７１７において、サービングセルのレガシーＰＤＳＣＨ  ＲＥマッピングを選択する。
ＵＥは、ステップ１７１９において、この選択されたＰＤＳＣＨ  ＲＥマッピングに基づいてＰＤＳＣＨ信号を受信する。
【０２２２】
図１７において、ＵＥがＤＣＩフォーマット及びＲＮＴＩのすべてを検出した後に、新たなＲＥマッピングとレガシーＲＥマッピングとの間のＵＥのＰＤＳＣＨ  ＲＥマッピング仮定を決定できることに留意しなければならない。この決定は、表１９に基づくことができる。
【０２２３】
一方、ＤＣＩフォーマット１Ａは、小さな指示フィールドを含むために、ＣｏＭＰスケジューリングに適合しないことがある。このような理由で、ＤＣＩフォーマット１Ａによるスケジューリングのデータ送信は、ＤＰＳ方式又はＪＴ方式とともに使用されることができないこともある。ＤＣＩフォーマット１Ａに対するこのような状況に基づいて、ＣｏＭＰ送信モードにおいて、ＤＣＩフォーマットとＲＮＴＩとの各組み合せに対するＰＤＳＣＨ  ＲＥマッピング上のＵＥ仮定は、表２０のように定義されることができる。
【０２２４】
【表２０】
2015503881.tif 000043
【０２２５】
表２０において、ＰＤＳＣＨ  ＲＥマッピング上のＵＥ仮定が表現されている。
表２０に示すようなＰＤＳＣＨ  ＲＥマッピングに対するＵＥ仮定が使用される場合に、新たなＲＥマッピングとレガシーＲＥマッピングとの間のスイッチングは、ＤＣＩフォーマットに基づくことができる。すなわち、ＤＣＩフォーマット２ＣがＣｏＭＰ  ＵＥのスケジューリングのために使用される場合には、新たなＰＤＳＣＨ  ＲＥマッピングが適用され、これとは異なり、ＤＣＩフォーマット１Ａ又はＤＣＩフォーマット１Ｃがスケジューリングのために使用される場合には、レガシーＰＤＳＣＨ  ＲＥマッピングが使用される。
【０２２６】
図１８は、本発明の第１１の実施形態によるＣｏＭＰ方式を使用するセルラー無線通信システムにおけるＵＥがＰＤＳＣＨ信号を受信する方法を示すフローチャートである。
図１８を参照すると、ＵＥは、ステップ１８１１において、ＰＤＳＣＨスケジューリングに対するＰＤＣＣＨ信号を受信する。ＵＥは、ステップ１８１３において、ＰＤＣＣＨ信号に対してＤＣＩフォーマット２Ｃが使用されたか否かを判定する。この判定の結果、ＰＤＣＣＨ信号に対してＤＣＩフォーマット２Ｃが使用された場合に、ＵＥは、ステップ１８１５において、表２０を使用する新たなＰＤＳＣＨ  ＲＥマッピングを選択する。
他方、ＰＤＣＣＨ信号に対してＤＣＩフォーマット２Ｃが使用されなかった場合に、ＵＥは、ステップ１８１７において、サービングセルのレガシーＰＤＳＣＨ  ＲＥマッピングを選択する。
【０２２７】
ＵＥは、ステップ１８１９において、この選択されたＰＤＳＣＨ  ＲＥマッピングに基づいてＰＤＳＣＨ信号を受信する。図１８において、ＵＥは、ＤＣＩフォーマット２ＣがＰＤＣＣＨ信号のために使用されたか否かを検出し、この検出の結果に従って、ＰＤＣＣＨ信号受信のために使用されるＰＤＳＣＨ  ＲＥマッピングを選択する。しかしながら、ＤＣＩフォーマット２ＣがＰＤＣＣＨ信号のために使用された場合には、ＵＥは、サービングセルに対してレガシーＰＤＳＣＨ  ＲＥマッピングを選択し、ＤＣＩフォーマット１Ａ、ＤＣＩフォーマット１Ｃなどのような様々なＤＣＩフォーマットの中の１つがＰＤＣＣＨ信号のために使用された場合には、ＵＥは、新たなＰＤＳＣＨ  ＲＥマッピングを選択することができることはもちろんである。
【０２２８】
図１８において、ＵＥがＤＣＩフォーマット及びＲＮＴＩのすべてを検出した後に、新たなＲＥマッピングとレガシーＲＥマッピングとの間のＵＥのＰＤＳＣＨ  ＲＥマッピング仮定を決定できることに留意しなければならない。この決定は、表２０に基づくことができる。
【０２２９】
もう１つの例において、ＰＤＳＣＨ  ＲＥマッピングの指示は、表２１又は表２２のように、表２３又は表２４の各々に関連することができる。ここで、Ｃｉは、セルを示し、ＲＥ＿マッピング（Ｃ１，Ｃ２，．．．，ＣＫ）は、セルＣ１，Ｃ２，．．．，ＣＫ（ただし、Ｋ≧１である）の中でＪＴ方式に対するＰＤＳＣＨ  ＲＥマッピングを示す。ここで、Ｋ＝１である場合に、ＲＥ＿マッピング（Ｃ１）は、セルＣ１に対するＰＤＳＣＨ  ＲＥマッピングを示す。ＵＥがセルＣｉに対するＰＤＳＣＨ  ＲＥマッピングを決定するために、ｅＮＢは、下記のようなパラメータの中の少なくとも１つをＵＥにシグナリングすべきである。
ａ．Ｃｉの物理Ｃｅｌｌ−ＩＤ（又はＣｅｌｌ−ＩＤ  ｍｏｄ  ６）
ｂ．ＣｉのＭＢＳＦＮサブフレーム構成
ｃ．ＣｉのＣＲＳポートの個数
ｄ．基準（サービング／基本）セルからのＣｉのサブフレームオフセット値
ｅ．制御領域に対して仮定するＯＦＤＭシンボルの個数
【０２３０】
すなわち、表２１が使用される場合に、（Ｄ１，Ｘ１，ＲＥ＿マッピング（Ｃ１，Ｃ２，．．．，ＣＫ））及び（Ｄ２，Ｘ２，ＲＥ＿マッピング（ＣＫ＋１，ＣＫ＋２，．．．，ＣＫ＋Ｌ））の２個の集合が上位レイヤーシグナリングを通してＵＥに対して構成された後に、ＵＥは、ＤＣＩで導出されたｎＳＣＩＤ２を使用してＰＤＳＣＨ送信のためにスケジューリングされた１つのサブフレームで２個の集合の中の１つを決定できる。
これとは異なり、表２２が使用される場合には、（Ｘ１，ＲＥ＿マッピング（Ｃ１，Ｃ２，．．．，ＣＫ））及び（Ｘ２，ＲＥ＿マッピング（ＣＫ＋１，ＣＫ＋２，．．．，ＣＫ＋Ｌ））の２つの対が上位レイヤーシグナリングを通してＵＥに対して構成された後に、ＵＥは、ＤＣＩで導出されたｎＳＣＩＤ２を使用してＰＤＳＣＨ送信のためにスケジューリングされた１つのサブフレームで２つの対の中の１つを決定できる。
【０２３１】
【表２１】
2015503881.tif 000044
【０２３２】
表２1において、
【数２２】
2015503881.tif 000045
、
【数２３】
2015503881.tif 000046
、及びｎＳＣＩＤ２、（Ｋ≧１，Ｌ≧１）に対するＰＤＳＣＨ  ＲＥマッピングが表現されている。
【０２３３】
【表２２】
2015503881.tif 000047
【０２３４】
表２２において、
【数２４】
2015503881.tif 000048
及びｎＳＣＩＤ２に対するＰＤＳＣＨ  ＲＥマッピング（Ｋ≧１，Ｌ≧１）が表現されている。
表２３及び表２４について説明すると、次のようである。
ＤＭ−ＲＳスクランブリングシーケンスの動的適応を実現するためのもう１つの方式において、ＤＭ−ＲＳスクランブリングシーケンスの初期値がＵＥに対して使用される。
【０２３５】
【数２５】
2015503881.tif 000049
【０２３６】
ここで、ｎＳＣＩＤは、ＰＤＳＣＨスケジューリングに対するＤＣＩによりＲｅｌｅａｓｅ１０におけるように０と１との間で動的に決定され、ｎＳＣＩＤ２は、［０，Ｎ−１］の範囲内の整数の中でＰＤＳＣＨスケジューリングに対するＤＣＩにより決定される追加動的パラメータである。
【０２３７】
また、ｎＳＣＩＤ及びｎＳＣＩＤ２は、ＰＤＳＣＨスケジューリングに対するＤＣＩフォーマットでジョイント符号化された（jointly coded）２個の異なるＤＣＩフィールド又は１個のＤＣＩフィールドから導出されることができる。ｎＳＣＩＤ及びｎＳＣＩＤ２が異なるフィールドを有する場合に、ｎＳＣＩＤは、アンテナポート（複数のアンテナポート）、スクランブリング識別子、及びレイヤーの個数を示すレガシー３ビットフィールドから導出され、ｎＳＣＩＤ２は、それぞれＮ＝２又はＮ＝４を有する１ビットフィールド又は２ビットフィールドから導出される。他方、ｎＳＣＩＤ及びｎＳＣＩＤ２が１個のＤＣＩフィールドでジョイント符号化される場合に、ｎＳＣＩＤ及びｎＳＣＩＤ２は、アンテナポート（複数のアンテナポート）、スクランブリング識別子（ｎＳＣＩＤ）、ｎＳＣＩＤ２、及びレイヤーの個数を示す３ビットフィールド、４ビットフィールド、又は５ビットフィールドから導出される。
【０２３８】
数式３において、他のパラメータ
【数２６】
2015503881.tif 000050
は、
【数２７】
2015503881.tif 000051
により与えられ、ここで、ｎｓは、ＵＥのサービング（又は基本）セルのスロット番号であり、
【数２８】
2015503881.tif 000052
は、［０，９］又は［−４，５］のようなサイズ１０の範囲内のｎＳＣＩＤ２に基づくサブフレームオフセット値である。パラメータ
【数２９】
2015503881.tif 000053
及び
【数３０】
2015503881.tif 000054
を決定する１つの方式は、表２３を使用するものであり、表２３において、Ｄ１、Ｘ１、Ｄ２、及びＸ２は、上位レイヤーによりシグナリングされる。
【０２３９】
表２３での仮定は、ｎＳＣＩＤ２が０と１との間で決定されるものである。すなわち、（Ｄ１，Ｘ１）及び（Ｄ２，Ｘ２）の２つの対が上位レイヤーシグナリングによりＵＥに対して構成された後に、ＵＥは、ＤＣＩで抽出されたｎＳＣＩＤ２を使用することによりＰＤＳＣＨ送信のためにスケジューリングされる１個のサブフレームで２つの対の中の１つを決定できる。
【０２４０】
【表２３】
2015503881.tif 000055
【０２４１】
表２３において、ｎＳＣＩＤ２に対する
【数３１】
2015503881.tif 000056
及び
【数３２】
2015503881.tif 000057
が表現されている。
パラメータ
【数３３】
2015503881.tif 000058
及び
【数３４】
2015503881.tif 000059
を決定するもう１つの方式において、
【数３５】
2015503881.tif 000060
は、表２４により決定され、表２４において、Ｘ１及びＸ２は、上位レイヤーによりシグナリングされ、
【数３６】
2015503881.tif 000061
は、次のように決定される。
【０２４２】
ａ．
【数３７】
2015503881.tif 000062
である場合に、ＵＥは、Ｃｅｌｌ−ｉのスロット番号を使用し、
ｂ．すべてのｉに対して、
【数３８】
2015503881.tif 000063
である場合に、スロット番号は、デフォルト値（例えば、
【数３９】
2015503881.tif 000064
）に設定される。
ここで、
【数４０】
2015503881.tif 000065
は、ＵＥが少なくても１回ＲＳＲＰを報告したセルであるＣｅｌｌ−１、Ｃｅｌｌ−２、Ｃｅｌｌ−ＭのＣｅｌｌ−ＩＤを示し、又はｅＮＢによりシグナリングされる物理Ｃｅｌｌ−ＩＤのリストに含まれているＣｅｌｌ−ＩＤを示す。
【０２４３】
【表２４】
2015503881.tif 000066
【０２４４】
表２４において、ｎＳＣＩＤ２に対する
【数４１】
2015503881.tif 000067
が表現されている。
【０２４５】
もう１つの例において、ＰＤＳＣＨ  ＲＥマッピングの指示は、表２５又は表２６のように表２７又は表２８の各々に関連することができる。ここで、Ｃｉは、セルを示し、ＲＥ＿マッピング（Ｃ１，Ｃ２，．．．，ＣＫ）は、セルＣ１，Ｃ２，．．．，ＣＫ（ただし、Ｋ≧１である）の中でＪＴ方式に対するＰＤＳＣＨ  ＲＥマッピングを示す。ここで、Ｋ＝１である場合に、ＲＥ＿マッピング（Ｃ１）は、セルＣ１に対するＰＤＳＣＨ  ＲＥマッピングを示す。ＵＥがセルＣ１に対するＰＤＳＣＨ  ＲＥマッピングを決定するために、ｅＮＢは、下記のようなパラメータの中の少なくとも１つをＵＥにシグナリングしなければならない。
ａ．Ｃｉの物理Ｃｅｌｌ−ＩＤ（又はＣｅｌｌ−ＩＤ  ｍｏｄ  ６）
ｂ．ＣｉのＭＢＳＦＮサブフレーム構成
ｃ．ＣｉのＣＲＳポートの個数
ｄ．基準（サービング／基本）セルからのＣｉのサブフレームオフセット値
ｅ．制御領域に対して仮定するＯＦＤＭシンボルの個数
【０２４６】
すなわち、表２５が使用される場合に、（Ｄ１，Ｘ１，ＲＥ＿マッピング（Ｃ１，Ｃ２，．．．，ＣＫ））、（Ｄ２，Ｘ２，ＲＥ＿マッピング（ＣＫ＋１，ＣＫ＋２，．．．，ＣＫ＋Ｌ））、（Ｄ３，Ｘ３，ＲＥ＿マッピング（ＣＫ＋Ｌ＋１，ＣＫ＋Ｌ＋２，．．．，ＣＫ＋Ｌ＋Ｐ））、及び（Ｄ４，Ｘ４，ＲＥ＿マッピング（ＣＫ＋Ｌ＋Ｐ＋１，ＣＫ＋Ｌ＋Ｐ＋２，．．．，ＣＫ＋Ｌ＋Ｐ＋Ｑ））の４個の集合が上位レイヤーシグナリングによりＵＥに対して構成された後に、ＵＥは、ＤＣＩで導出された（ｎＳＣＩＤ，ｎＳＣＩＤ２）を使用することによりＰＤＳＣＨ送信のためにスケジューリングされた１つのサブフレームで４つの集合の中の１つを決定できる。
【０２４７】
他方、表２６が使用される場合に、（Ｘ１，ＲＥ＿マッピング（Ｃ１，Ｃ２，．．．，ＣＫ））、（Ｘ２，ＲＥ＿マッピング（ＣＫ＋１，ＣＫ＋２，．．．，ＣＫ＋Ｌ））、（Ｘ３，ＲＥ＿マッピング（ＣＫ＋Ｌ＋１，ＣＫ＋Ｌ＋２，．．．，ＣＫ＋Ｌ＋Ｐ））、及び（Ｘ４，ＲＥ＿マッピング（ＣＫ＋Ｌ＋Ｐ＋１，ＣＫ＋Ｌ＋Ｐ＋２，．．．，ＣＫ＋Ｌ＋Ｐ＋Ｑ））の４つの対が上位レイヤーシグナリングによりＵＥに対して構成された後に、ＵＥは、ＤＣＩで導出された（ｎＳＣＩＤ，ｎＳＣＩＤ２）を使用することによりＰＤＳＣＨ送信のためにスケジューリングされた１つのサブフレームで４つの対の中の１つを決定できる。
【０２４８】
【表２５】
2015503881.tif 000068
【０２４９】
表２５において、
【数４２】
2015503881.tif 000069
、
【数４３】
2015503881.tif 000070
、（ｎＳＣＩＤ，ｎＳＣＩＤ２）に対するＰＤＳＣＨ  ＲＥマッピング、及び（Ｋ≧１、Ｌ≧１、Ｐ≧１、Ｑ≧１）が表現されている。
【０２５０】
【表２６】
2015503881.tif 000071
【０２５１】
表２６において、
【数４４】
2015503881.tif 000072
、（ｎＳＣＩＤ，ｎＳＣＩＤ２）に対するＰＤＳＣＨ  ＲＥマッピング、及び（Ｋ≧１，Ｌ≧１，Ｐ≧１，Ｑ≧１）が表現されている。
表２７及び表２８について説明する。
ＤＭ−ＲＳスクランブリングシーケンスの動的適応を実現するためのもう１つの方式では、次のようなＤＭ−ＲＳスクランブリングシーケンスの初期値がＵＥに対して使用される。
【０２５２】
【数４５】
2015503881.tif 000073
【０２５３】
ここで、ｎＳＣＩＤは、Ｒｅｌｅａｓｅ  １０におけるように０と１との間でＰＤＳＣＨスケジューリングに対するＤＣＩにより動的に決定され、ｎＳＣＩＤ２は、［０，Ｎ−１]の範囲にある整数の中でＰＤＳＣＨスケジューリングに対するＤＣＩにより決定される追加動的パラメータである。また、ｎＳＣＩＤ及びｎＳＣＩＤ２は、ＰＤＳＣＨスケジューリングに対するＤＣＩフォーマットを使用してジョイント符号化された２個の異なるＤＣＩフィールド又は１個のＤＣＩフィールドから導出されることができる。
【０２５４】
ｎＳＣＩＤ及びｎＳＣＩＤ２が異なるフィールドを有する場合に、ｎＳＣＩＤは、アンテナポート（複数のアンテナポート）、スクランブリング識別子、及びレイヤーの個数を示すレガシー３ビットフィールドから導出され、ｎＳＣＩＤ２は、それぞれＮ＝２又はＮ＝４を有する１ビットフィールド又は２ビットフィールドから導出される。他方、ｎＳＣＩＤ及びｎＳＣＩＤ２が１つのＤＣＩフィールドでジョイント符号化される場合に、ｎＳＣＩＤ及びｎＳＣＩＤ２は、アンテナポート（複数のアンテナポート）、スクランブリング識別子（ｎＳＣＩＤ）、ｎＳＣＩＤ２、及びレイヤーの個数を示す３ビットフィールド、４ビットフィールド、又は５ビットフィールドから導出される。
【０２５５】
数式４において、他のパラメータ
【数４６】
2015503881.tif 000074
は、
【数４７】
2015503881.tif 000075
により与えられ、ここで、ｎＳは、ＵＥのサービング（又は基本）セルのスロット番号であり、
【数４８】
2015503881.tif 000076
は、［０，９］又は［−４，５］のようなサイズ１０の範囲内のｎＳＣＩＤ及びｎＳＣＩＤ２の対に基づくサブフレームオフセット値を示す。パラメータ
【数４９】
2015503881.tif 000077
及び
【数５０】
2015503881.tif 000078
を決定する１つの方式は、表２７を使用するものであり、ここで、Ｄ１、Ｄ２、Ｄ３、Ｄ４、Ｘ１、Ｘ２、Ｘ３、及びＸ４は、上位レイヤーによりシグナリングされる。
【０２５６】
表２７での仮定は、ｎＳＣＩＤ２が０と１との間で決定されるものである。すなわち、（Ｄ１，Ｘ１）、（Ｄ２，Ｘ２）、（Ｄ３，Ｘ３）、及び（Ｄ４，Ｘ４）の４つの対が上位レイヤーシグナリングによりＵＥに対して構成された後に、ＵＥは、ＤＣＩで抽出されたｎＳＣＩＤ２を使用することによりＰＤＳＣＨ送信のためにスケジューリングされる１個のサブフレームで４つの対の中の１つを決定できる。
【０２５７】
【表２７】
2015503881.tif 000079
【０２５８】
表２７において、（ｎＳＣＩＤ，ｎＳＣＩＤ２）に対する
【数５１】
2015503881.tif 000080
及び
【数５２】
2015503881.tif 000081
が表現されている。
パラメータ
【数５３】
2015503881.tif 000082
及び
【数５４】
2015503881.tif 000083
を決定するもう１つの方式において、
【数５５】
2015503881.tif 000084
は、表２８により決定され、表２８において、Ｘ１、Ｘ２、Ｘ３、及びＸ４は、上位レイヤーによりシグナリングされ、
【数５６】
2015503881.tif 000085
は、次のように決定される。
【０２５９】
ａ．
【数５７】
2015503881.tif 000086
である場合に、ＵＥは、Ｃｅｌｌ−ｉのスロット番号を使用し、
ｂ．すべてのｉに対して、
【数５８】
2015503881.tif 000087
である場合に、スロット番号は、デフォルト値（例えば、
【数５９】
2015503881.tif 000088
）に設定される。
ここで、
【数６０】
2015503881.tif 000089
は、ＵＥが少なくても１回ＲＳＲＰを報告したセルであるＣｅｌｌ−１、Ｃｅｌｌ−２、Ｃｅｌｌ−ＭのＣｅｌｌ−ＩＤを示するか、又はｅＮＢによりシグナリングされる物理Ｃｅｌｌ−ＩＤのリストに含まれているＣｅｌｌ−ＩＤを示す。
【０２６０】
【表２８】
2015503881.tif 000090
【０２６１】
表２８において、（ｎＳＣＩＤ，ｎＳＣＩＤ２）に対する
【数６１】
2015503881.tif 000091
が表現されている。
図１９は、本発明の実施形態によるＣｏＭＰ方式を使用するセルラー無線通信システムにおけるＵＥの内部構造を概略的に示す図である。
図１９を参照すると、ＵＥは、受信部１９１１、制御部１９１３、送信部１９１５、及び格納部１９１７を含む。
【０２６２】
制御部１９１３は、ＵＥの全般的な動作を制御する。特に、制御部１９１３は、本発明の第１の実施形態乃至第１１の実施形態に従うＰＤＳＣＨ信号を受信する動作を実行するように制御する。ＰＤＳＣＨ信号を受信する動作は、図４乃至図１８を参照して上述したような方法で実行されるので、ここでは、その詳細な説明を省略する。
受信部１９１１は、制御部１９１３の制御の下に各種信号をＣＣＡ、ＢＳなどから受信する。受信部１９１１が受信した各種信号は、図４乃至図１８を参照して上述したので、ここでは、その詳細な説明を省略する。
送信部１９１５は、制御部１９１３の制御の下に、各種信号をＣＣＡ、ＢＳなどに送信する。送信部１９１５が送信した各種信号は、図４乃至図１８を参照して上述したので、ここでは、その詳細な説明を省略する。
格納部１９１７は、受信部１９１１が受信した各種信号及びＵＥの動作に必要な各種データ、例えば、ＰＤＳＣＨ信号を受信する動作に関連した情報を格納する。
【０２６３】
一方、図１９には、受信部１９１１、制御部１９１３、送信部１９１５、及び格納部１９１７が個別のユニットとして図示されているが、これは、説明の便宜のためのものであることを理解すべきである。言い換えれば、受信部１９１１、制御部１９１３、送信部１９１５、及び格納部１９１７の中の２つ又はそれ以上は、１つに統合された統合ユニットとして実現可能である。
【０２６４】
図２０は、本発明の実施形態によるＣｏＭＰ方式を使用するセルラー無線通信システムにおけるＣＣＡの内部構造を概略的に示す図である。
図２０を参照すると、ＣＣＡは、受信部２０１１、制御部２０１３、送信部２０１５、及び格納部２０１７を含む。
【０２６５】
制御部２０１３は、ＣＣＡの全般的な動作を制御する。特に、制御部２０１３は、ＣＣＡが本発明の第１の実施形態乃至第１１の実施形態によるＵＥのＰＤＳＣＨ信号受信動作に関連した全般的な動作を実行するように制御する。ＵＥのＰＤＳＣＨ信号受信動作に関連した全般的な動作については、図４乃至図１８を参照して上述したので、その詳細な説明を省略する。
受信部２０１１は、制御部２０１３の制御の下に、各種信号をＵＥ、ＢＳなどから受信する。受信部２０１１が受信した各種信号は、図４乃至図１８を参照して上述したので、その詳細な説明を省略する。
送信部２０１５は、制御部２０１３の制御の下に、各種信号をＣＣＡ、ＢＳなどに送信する。送信部２０１５が送信した各種信号は、図４乃至図１８を参照して上述したので、その詳細な説明を省略する。
格納部２０１７は、受信部２０１１が受信した各種信号及びＣＣＡの動作に必要な各種データ、例えば、ＵＥのＰＤＳＣＨ信号受信動作に関連した情報を格納する。
【０２６６】
一方、図２０には、受信部２０１１、制御部２０１３、送信部２０１５、及び格納部２０１７が個別のユニットとして図示されているが、これは、説明の便宜のためのものであることを理解すべきである。言い換えれば、受信部２０１１、制御部２０１３、送信部２０１５、及び格納部２０１７の中の２つ又はそれ以上は、１つに統合された統合ユニットとして実現可能である。
【０２６７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びその均等物の範囲内で定められるべきである。
【符号の説明】
【０２６８】
３００，３１０，３２０  セル
３０１，３０２，３１１，３２１  ユーザ端末機（ＵＥ）
３３０  中央制御装置（ＣＣＡ）
３３１，３３２，３３３  基地局（ＢＳ）
１９１１，２０１１  受信部
１９１３，２０１３  制御部
１９１５，２０１５  送信部
１９１７，２０１７  格納部
【図１】
2015503881.tif 000092
【図２】
2015503881.tif 000093
【図３】
2015503881.tif 000094
【図４】
2015503881.tif 000095
【図５】
2015503881.tif 000096
【図６】
2015503881.tif 000097
【図７】
2015503881.tif 000098
【図８】
2015503881.tif 000099
【図９】
2015503881.tif 000100
【図１０】
2015503881.tif 000101
【図１１】
2015503881.tif 000102
【図１２】
2015503881.tif 000103
【図１３】
2015503881.tif 000104
【図１４】
2015503881.tif 000105
【図１５】
2015503881.tif 000106
【図１６】
2015503881.tif 000107
【図１７】
2015503881.tif 000108
【図１８】
2015503881.tif 000109
【図１９】
2015503881.tif 000110
【図２０】
2015503881.tif 000111
【国際調査報告】
2015503881.tif 000112
2015503881.tif 000113